(57)【要約】【課題】パケット交換呼による音声通信の継続を可能にすること。【解決手段】通信部１１１は、第１移動体通信網１０１において使用可能であり第２移動体通信網１０２において使用不可なパケット交換呼による第１音声通信と、第１移動体通信網１０１および第２移動体通信網１０２において使用可能なパケット交換呼による第２音声通信と、が可能である。検出部１１２は、第１音声通信装置１１０が第１移動体通信網１０１に接続し、通信部１１１が第２音声通信装置１２０との間で第１音声通信を行っている際に、第１音声通信装置１１０の第２移動体通信網１０２へのハンドオーバ１０３の予兆を検出する。制御部１１３は、検出部１１２によってハンドオーバ１０３の予兆が検出された場合に、通信部１１１による第２音声通信装置１２０との間の音声通信を第２音声通信に切り替える。【選択図】図１Ｂ
2015080139.tif 000002
【特許請求の範囲】
【請求項１】
第１移動体通信網において使用可能であり第２移動体通信網において使用不可なパケット交換呼による第１音声通信と、前記第１移動体通信網および前記第２移動体通信網において使用可能なパケット交換呼による第２音声通信と、が可能な通信部と、
自装置が前記第１移動体通信網に接続し、前記通信部が他の音声通信装置との間で前記第１音声通信を行っている際に、自装置の前記第２移動体通信網へのハンドオーバの予兆を検出する検出部と、
前記検出部によって前記ハンドオーバの予兆が検出された場合に、前記通信部による前記他の音声通信装置との間の音声通信を前記第２音声通信に切り替える制御部と、
を備えることを特徴とする音声通信装置。
【請求項２】
前記第１移動体通信網はＩＭＳ（ＩＰ  Ｍｕｌｔｉｍｅｄｉａ  Ｓｕｂｓｙｓｔｅｍ）サービスをサポートする通信網であり、
前記第２移動体通信網はＩＭＳサービスをサポートしていない通信網である、
ことを特徴とする請求項１に記載の音声通信装置。
【請求項３】
前記第１音声通信は帯域確保型の音声通信であり、
前記第２音声通信はベストエフォート型の音声通信である、
ことを特徴とする請求項１または２に記載の音声通信装置。
【請求項４】
前記第１音声通信はＶｏＬＴＥ（Ｖｏｉｃｅ  ｏｖｅｒ  Ｌｏｎｇ  Ｔｅｒｍ  Ｅｖｏｌｕｔｉｏｎ）による音声通信であることを特徴とする請求項１〜３のいずれか一つに記載の音声通信装置。
【請求項５】
前記第２音声通信はピアツーピアのインターネット電話による音声通信であることを特徴とする請求項１〜４のいずれか一つに記載の音声通信装置。
【請求項６】
前記制御部は、前記音声通信を前記第２音声通信に切り替えた後に、自装置の前記第２移動体通信網から前記第１移動体通信網へのハンドオーバが発生すると、前記音声通信を前記第１音声通信に切り替えることを特徴とする請求項１〜５のいずれか一つに記載の音声通信装置。
【請求項７】
前記通信部は、前記第２移動体通信網において使用可能な回線交換呼による第３音声通信が可能であり、
前記制御部は、前記検出部によって前記ハンドオーバの予兆が検出され、前記他の音声通信装置との間で前記第２音声通信が使用できない場合に、前記通信部による前記他の音声通信装置との間の音声通信を前記第３音声通信に切り替えることを特徴とする請求項１〜６のいずれか一つに記載の音声通信装置。
【請求項８】
第１移動体通信網において使用可能であり第２移動体通信網において使用不可なパケット交換呼による第１音声通信と、前記第１移動体通信網および前記第２移動体通信網において使用可能なパケット交換呼による第２音声通信と、が可能な他の音声通信装置との間で音声通信を行う通信部と、
前記他の音声通信装置が前記第１移動体通信網に接続し、前記他の音声通信装置との間で前記第１音声通信を行っている際に、前記他の音声通信装置の前記第２移動体通信網へのハンドオーバの予兆が検出された場合に、前記他の音声通信装置との間の音声通信を前記第２音声通信に切り替える制御部と、
を備えることを特徴とする音声通信装置。
【請求項９】
第１移動体通信網において使用可能であり第２移動体通信網において使用不可なパケット交換呼による第１音声通信と、前記第１移動体通信網および前記第２移動体通信網において使用可能なパケット交換呼による第２音声通信と、が可能な第１音声通信装置と、
前記第１音声通信装置との間で音声通信が可能な第２音声通信装置と、
を含み、
前記第１音声通信装置は、前記第１音声通信装置が前記第１移動体通信網に接続し、前記第２音声通信装置との間で前記第１音声通信を行っている際に、前記第１音声通信装置の前記第２移動体通信網へのハンドオーバの予兆を検出すると、前記第２音声通信装置との間の音声通信を前記第２音声通信に切り替えることを特徴とする音声通信システム。
【発明の詳細な説明】
【技術分野】
【０００１】
本発明は、音声通信装置および音声通信システムに関する。
【背景技術】
【０００２】
近年、移動体通信システムは、３ＧＰＰ（３ｒｄ  Ｇｅｎｅｒａｔｉｏｎ  Ｐａｒｔｎｅｒｓｈｉｐ  Ｐｒｏｊｅｃｔ）で規定されるＩＭＳ（ＩＰ  Ｍｕｌｔｉｍｅｄｉａ  Ｓｕｂｓｙｓｔｅｍ）の導入に伴い、オールＩＰ（Ｉｎｔｅｒｎｅｔ  Ｐｒｏｔｏｃｏｌ）化へ移行する段階にある。
【０００３】
今後、ＩＭＳサービスをサポートしたＬＴＥ（Ｌｏｎｇ  Ｔｅｒｍ  Ｅｖｏｌｕｔｉｏｎ）網で音声ＩＰ通信を行うＶｏＬＴＥ（Ｖｏｉｃｅ  ｏｖｅｒ  ＬＴＥ）の導入も予定されている。また、複数のネットワークが利用可能な携帯端末装置において、各サービスが使用するネットワークを個々にかつ動的に変更する技術が知られている（たとえば、下記特許文献１参照。）。
【先行技術文献】
【特許文献】
【０００４】
【特許文献１】特開２００７−２４９７６４号公報
【発明の概要】
【発明が解決しようとする課題】
【０００５】
しかしながら、上述した従来技術では、たとえばＶｏＬＴＥでの音声通信中に、ＩＭＳサービスがサポートされていない３Ｇ網等のネットワークへのハンドオーバが発生すると、音声通信が回線交換呼に切り替わる。このため、パケット交換呼による音声通信が継続できないという問題がある。
【０００６】
１つの側面では、本発明は、パケット交換呼による音声通信の継続を可能にすることができる音声通信装置および音声通信システムを提供することを目的とする。
【課題を解決するための手段】
【０００７】
上述した課題を解決し、目的を達成するため、本発明の一側面によれば、第１移動体通信網において使用可能であり第２移動体通信網において使用不可なパケット交換呼による第１音声通信と、前記第１移動体通信網および前記第２移動体通信網において使用可能なパケット交換呼による第２音声通信と、が可能な音声通信装置が、自装置が前記第１移動体通信網に接続し、他の音声通信装置との間で前記第１音声通信を行っている際に、自装置の前記第２移動体通信網へのハンドオーバの予兆を検出し、前記ハンドオーバの予兆が検出された場合に、前記他の音声通信装置との間の音声通信を前記第２音声通信に切り替える、音声通信装置および音声通信システムが提案される。
【発明の効果】
【０００８】
本発明の一側面によれば、パケット交換呼による音声通信の継続を可能にすることができるという効果を奏する。
【図面の簡単な説明】
【０００９】
【図１Ａ】図１Ａは、実施の形態１にかかる通信システムの一例を示す図である。
【図１Ｂ】図１Ｂは、図１Ａに示した通信システムにおける信号の流れの一例を示す図である。
【図２Ａ】図２Ａは、実施の形態２にかかる通信システムの動作例１を示す図（その１）である。
【図２Ｂ】図２Ｂは、実施の形態２にかかる通信システムの動作例１を示す図（その２）である。
【図２Ｃ】図２Ｃは、実施の形態２にかかる通信システムの動作例１を示す図（その３）である。
【図２Ｄ】図２Ｄは、実施の形態２にかかる通信システムの動作例１を示す図（その４）である。
【図３】図３は、実施の形態２にかかる携帯電話の一例を示す図である。
【図４】図４は、ＩＰ電話アプリのデータベースの一例を示す図である。
【図５】図５は、ＩＰ電話アプリ制御同期用のＳＭＳメッセージのフォーマットの一例を示す図である。
【図６】図６は、動作例１にかかる第１端末の処理の一例を示すフローチャートである。
【図７】図７は、動作例１にかかる第２端末の処理の一例を示すフローチャートである。
【図８Ａ】図８Ａは、動作例１にかかる通信システムの動作の一例を示すシーケンス図（その１）である。
【図８Ｂ】図８Ｂは、動作例１にかかる通信システムの動作の一例を示すシーケンス図（その２）である。
【図８Ｃ】図８Ｃは、動作例１にかかる通信システムの動作の一例を示すシーケンス図（その３）である。
【図８Ｄ】図８Ｄは、動作例１にかかる通信システムの動作の一例を示すシーケンス図（その４）である。
【図８Ｅ】図８Ｅは、動作例１にかかる通信システムの動作の一例を示すシーケンス図（その５）である。
【図９Ａ】図９Ａは、実施の形態２にかかる通信システムの動作例２を示す図（その１）である。
【図９Ｂ】図９Ｂは、実施の形態２にかかる通信システムの動作例２を示す図（その２）である。
【図９Ｃ】図９Ｃは、実施の形態２にかかる通信システムの動作例２を示す図（その３）である。
【図９Ｄ】図９Ｄは、実施の形態２にかかる通信システムの動作例２を示す図（その４）である。
【図１０】図１０は、動作例２にかかる第１端末の処理の一例を示すフローチャートである。
【図１１】図１１は、動作例２にかかる第２端末の処理の一例を示すフローチャートである。
【図１２Ａ】図１２Ａは、動作例２にかかる通信システムの動作の一例を示すシーケンス図（その１）である。
【図１２Ｂ】図１２Ｂは、動作例２にかかる通信システムの動作の一例を示すシーケンス図（その２）である。
【図１２Ｃ】図１２Ｃは、動作例２にかかる通信システムの動作の一例を示すシーケンス図（その３）である。
【図１２Ｄ】図１２Ｄは、動作例２にかかる通信システムの動作の一例を示すシーケンス図（その４）である。
【図１３Ａ】図１３Ａは、実施の形態２にかかる通信システムの動作例３を示す図（その１）である。
【図１３Ｂ】図１３Ｂは、実施の形態２にかかる通信システムの動作例３を示す図（その２）である。
【図１３Ｃ】図１３Ｃは、実施の形態２にかかる通信システムの動作例３を示す図（その３）である。
【図１４Ａ】図１４Ａは、動作例３にかかる通信システムの動作の一例を示すシーケンス図（その１）である。
【図１４Ｂ】図１４Ｂは、動作例３にかかる通信システムの動作の一例を示すシーケンス図（その２）である。
【図１４Ｃ】図１４Ｃは、動作例３にかかる通信システムの動作の一例を示すシーケンス図（その３）である。
【図１４Ｄ】図１４Ｄは、動作例３にかかる通信システムの動作の一例を示すシーケンス図（その４）である。
【図１５】図１５は、携帯電話における設定項目の一例を示す図である。
【図１６】図１６は、携帯電話におけるデータベースへの情報登録の一例を示すシーケンス図である。
【図１７】図１７は、携帯電話のハードウェア構成の一例を示す図である。
【発明を実施するための形態】
【００１０】
以下に図面を参照して、本発明にかかる音声通信装置および音声通信システムの実施の形態を詳細に説明する。
【００１１】
（実施の形態１）
（実施の形態１にかかる通信システム）
図１Ａは、実施の形態１にかかる通信システムの一例を示す図である。図１Ｂは、図１Ａに示した通信システムにおける信号の流れの一例を示す図である。図１Ａ，図１Ｂに示すように、実施の形態１にかかる通信システム１００は、第１音声通信装置１１０と、第２音声通信装置１２０と、を含む。
【００１２】
第１音声通信装置１１０は、第１移動体通信網１０１と、第２移動体通信網１０２と、に接続可能である。たとえば、第１移動体通信網１０１はＩＭＳサービスをサポートする通信網であり、第２移動体通信網１０２はＩＭＳサービスをサポートしていない通信網である。第１音声通信装置１１０は、第１移動体通信網１０１または第２移動体通信網１０２を介して第２音声通信装置１２０と音声通信（通話）が可能な音声通信装置である。
【００１３】
第１音声通信装置１１０は、通信部１１１と、検出部１１２と、制御部１１３と、を備える。
【００１４】
通信部１１１は、第２音声通信装置１２０との間で、パケット交換呼による第１音声通信および第２音声通信が可能である。通信部１１１における第１音声通信と第２音声通信との切替は、たとえば制御部１１３によって制御される。
【００１５】
第１音声通信は、たとえば、ＶｏＬＴＥによる音声通信である。第２音声通信は、たとえば、ＩＰ電話アプリを用いた、ピアツーピア（Ｐ２Ｐ：Ｐｅｅｒ  ｔｏ  Ｐｅｅｒ）のインターネット電話による音声通信である。また、たとえば、第１音声通信が帯域確保型の音声通信であり、第２音声通信がベストエフォート型の音声通信であってもよい。
【００１６】
検出部１１２は、第１音声通信装置１１０（自装置）が第１移動体通信網１０１に接続し、通信部１１１が第２音声通信装置１２０との間で第１音声通信を行っている際に、第１音声通信装置１１０の第２移動体通信網１０２へのハンドオーバ１０３の予兆を検出する。そして、検出部１１２は、検出結果を制御部１１３へ出力する。ハンドオーバ１０３の予兆の検出は、たとえば第１移動体通信網１０１および第２移動体通信網１０２における第１音声通信装置１１０の各無線通信品質に基づいて行うことができる。
【００１７】
制御部１１３は、検出部１１２から出力された検出結果に基づいて、第２移動体通信網１０２へのハンドオーバ１０３の予兆が検出された場合に、通信部１１１による第２音声通信装置１２０との間の音声通信を第１音声通信から第２音声通信に切り替える。
【００１８】
このように、第１音声通信装置１１０によれば、第２音声通話を行っている際に第２音声通話が使用不可な第２移動体通信網１０２へのハンドオーバ１０３の予兆が検出された場合に、音声通話を第１音声通話に切り替えることができる。これにより、第２移動体通信網１０２へのハンドオーバ１０３が発生しても、パケット交換呼による音声通信の継続が可能になる。このため、たとえば回線交換呼への切替を抑制することができる。
【００１９】
また、制御部１１３は、たとえば、第２移動体通信網１０２へのハンドオーバ１０３の前に、第２音声通信装置１２０との間の音声通信を第２音声通信へ切り替える。これにより、ＳＲＶＣＣ（Ｓｉｎｇｌｅ  Ｒａｄｉｏ  Ｖｏｉｃｅ  Ｃａｌｌ  Ｃｏｎｔｉｎｕｉｔｙ：単一無線音声通信継続）の機能を有していても、回線交換呼への切替を抑制することができる。
【００２０】
また、制御部１１３は、第２音声通信装置１２０との間の音声通信を第２音声通信に切り替えた後に、第１音声通信装置１１０の第１移動体通信網１０１へのハンドオーバが発生すると、第２音声通信装置１２０との間の音声通信を第１音声通信に切り替える。これにより、たとえば帯域確保型である第１音声通信を優先的に使用し、音声通信の品質を向上させることができる。
【００２１】
また、通信部１１１は、さらに、第２移動体通信網１０２において使用可能な回線交換呼による第３音声通信が可能であってもよい。また、制御部１１３は、検出部１１２によって第２移動体通信網１０２へのハンドオーバ１０３の予兆が検出され、第２音声通信装置１２０との間で第２音声通信が使用できない場合に、第２音声通信装置１２０との間の音声通信を第３音声通信に切り替えてもよい。これにより、ハンドオーバ先で第２音声通信が使用できない場合にも音声通信を継続することができる。第３音声通信への切替には、たとえばＳＲＶＣＣを用いることができる。
【００２２】
（実施の形態２）
（実施の形態２にかかる通信システムの動作例１）
図２Ａ〜図２Ｄは、実施の形態２にかかる通信システムの動作例１を示す図である。図２Ａに示すように、実施の形態２にかかる通信システム２００は、第１端末２１１と、第２端末２１２と、を含む。
【００２３】
第１端末２１１は、ＬＴＥ網セル２２１および３Ｇ網セル２２２に接続可能であり、無線ネットワーク２３０を介して第２端末２１２との間で音声通話が可能である。ＬＴＥ網セル２２１は、ＩＭＳサポート有りのセルである。３Ｇ網セル２２２は、ＩＭＳサポート無しのセルである。
【００２４】
たとえば、第１端末２１１は、ＬＴＥ網セル２２１に接続している場合は、第２端末２１２との間でＶｏＬＴＥまたはＩＰ電話アプリによる音声通話が可能である。また、第１端末２１１は、３Ｇ網セル２２２に接続している場合は、第２端末２１２との間で回線交換呼（ＣＳ呼）またはＩＰ電話アプリによる音声通話が可能である。
【００２５】
図１Ａ，図１Ｂに示した通信システム１００は、たとえば通信システム２００によって実現することができる。図１Ａ，図１Ｂに示した第１音声通信装置１１０は、たとえば第１端末２１１によって実現することができる。図１Ａ，図１Ｂに示した第２音声通信装置１２０は、たとえば第２端末２１２によって実現することができる。図１Ａ，図１Ｂに示した第１移動体通信網１０１は、たとえばＬＴＥ網セル２２１によって実現することができる。図１Ａ，図１Ｂに示した第２移動体通信網１０２は、たとえば３Ｇ網セル２２２によって実現することができる。
【００２６】
＜ＬＴＥ網でＶｏＬＴＥによる通話中＞
図２Ａに示す例では、第１端末２１１は、ＬＴＥ網セル２２１に接続しており、第２端末２１２との間でＶｏＬＴＥにて通話を行っている。また、第１端末２１１の移動に伴い、第１端末２１１におけるＬＴＥの電波品質が低下し、３Ｇの電波品質が向上している。
【００２７】
＜ＩＰ電話アプリでの接続＞
これに対して、第１端末２１１は、図２Ｂに示すように、３Ｇ網セル２２２へのハンドオーバの発生可能性（予兆）有りと判断し、ＶｏＬＴＥによる通話は継続しつつ、第２端末２１２との間でＩＰ電話アプリの接続を行う。ＩＰ電話アプリの接続は、たとえばＩＰ電話アプリ制御同期用のＳＭＳ（Ｓｈｏｒｔ  Ｍｅｓｓａｇｅ  Ｓｅｒｖｉｃｅ）メッセージを第２端末２１２へ送信することによって行うことができる。第２端末２１２は、第１端末２１１からＩＰ電話アプリ制御同期用のＳＭＳメッセージを受信すると、ＩＰ電話アプリ用のＰＤＮ（Ｐａｃｋｅｔ  Ｄａｔａ  Ｎｅｔｗｏｒｋ：パケットデータネットワーク）を確立し、ＩＰ電話アプリを起動させて接続待ち状態となった後に、第１端末２１１へＳＭＳメッセージを送信する。
【００２８】
第１端末２１１は、第２端末２１２からのＳＭＳメッセージを受信すると、ＩＰ電話アプリ用のＰＤＮを確立し、データベースから第２端末２１２の電話番号をキーとして切替先ＩＰ電話アプリ名とＩＰ電話アプリＩＤを抽出する。そして、第１端末２１１は、抽出した切替先ＩＰ電話アプリ名に該当するＩＰ電話アプリを起動させて接続待ち状態となった後に、データベースから抽出したＩＰ電話アプリＩＤを用いて第２端末２１２とＩＰ電話アプリでの接続を実施する。
【００２９】
これにより、第１端末２１１と第２端末２１２の接続は、ＶｏＬＴＥとＩＰ電話アプリの２本となる。ただし、この時点では音声通話はＶｏＬＴＥで行われ、ＩＰ電話アプリは接続のみの状態となる。
【００３０】
＜ＩＰ電話アプリでの通話へ切り替え＞
つぎに、第１端末２１１は、図２Ｃに示すように、第２端末２１２との間のＶｏＬＴＥによる通話を切断するとともに、第２端末２１２との間のＩＰ電話アプリによる通話を開始する。これにより、第１端末２１１と第２端末２１２の間の通話を、ＶｏＬＴＥからＩＰ電話アプリに切り替えることができる。第１端末２１１は、ＶｏＬＴＥからＩＰ電話アプリへの切替を、たとえば第２端末２１２へＳＭＳメッセージを送信することによって行うことができる。
【００３１】
第２端末２１２は、第１端末２１１からのＳＭＳメッセージを受信すると、ＩＰ電話アプリでの音声通話への切替を実施し、第１端末２１１へＳＭＳメッセージを送信する。第２端末２１２からのＳＭＳメッセージを受信した第１端末２１１は、音声通話をＶｏＬＴＥからＩＰ電話アプリへ切り替え、ＶｏＬＴＥ接続を切断する。これにより、第１端末２１１と第２端末２１２の接続はＩＰ電話アプリのみとなる。
【００３２】
＜３Ｇ網へのハンドオーバ＞
第１端末２１１は、第２端末２１２との間の接続がＩＰ電話アプリのみの接続となった後、図２Ｄに示すように、無線ネットワーク２３０からの３Ｇ網へのハンドオーバ指示の受信を契機として、３Ｇ網セル２２２へのハンドオーバを行う。第１端末２１１は、３Ｇ網セル２２２へ遷移した後も、ＩＰ電話アプリでの通話を継続する。
【００３３】
このように、第１端末２１１のＬＴＥ網セル２２１から３Ｇ網セル２２２へのハンドオーバが発生しても、たとえば回線交換呼による通話へ切り替えずに、パケット交換呼による通話を継続することができる。
【００３４】
（実施の形態２にかかる携帯電話）
図３は、実施の形態２にかかる携帯電話の一例を示す図である。図２Ａ〜図２Ｄに示した第１端末２１１および第２端末２１２は、たとえば図３に示す携帯電話３００によって実現することができる。携帯電話３００は、アプリケーション制御部３１０と、システム制御部３２０と、アンテナ３３１と、スピーカ３３２と、マイク３３３と、を備える。
【００３５】
＜アプリケーション制御部＞
アプリケーション制御部３１０は、携帯電話３００において実行されるアプリケーションの制御を行う。たとえば、アプリケーション制御部３１０は、音声通信切替制御部３１１と、呼制御部３１２と、ＩＰ電話アプリ制御部３１３と、メッセージ送受信部３１４と、データベース３１５と、を備える。
【００３６】
音声通信切替制御部３１１は、通話音声制御部３２２における音声通信の切替制御を行う。呼制御部３１２は、通話音声制御部３２２における音声通信の呼制御を行う。
【００３７】
ＩＰ電話アプリ制御部３１３は、通話音声制御部３２２におけるＩＰ電話アプリによる音声通信の制御を行う。たとえば、ＩＰ電話アプリ制御部３１３は、データベース３１５に登録された各情報に基づいてＩＰ電話アプリによる音声通信の制御を行う。また、ＩＰ電話アプリ制御部３１３は、ユーザからの相手側端末情報の入力により、相手側端末の電話番号およびＩＰ電話アプリＩＤをデータベース３１５へ登録する。
【００３８】
メッセージ送受信部３１４は、システム制御部３２０のメッセージ送受信部３２１との間の通信のインターフェースであり、メッセージ送受信部３２１との間でメッセージの送受信を行う。
【００３９】
データベース３１５は、ＩＰ電話アプリ制御部３１３からアクセス可能なデータベースであり、ＩＰ電話アプリに関する情報を保持する。たとえば、ＩＰ電話アプリに関する情報は、たとえば電話番号とＩＰ電話アプリＩＤとの対応情報などを含む（たとえば図４参照）。ＶｏＬＴＥでは携帯電話番号を用いて発信するのに対し、ＩＰ電話アプリではユーザを識別するためのアプリ特有のＩＤを用いて発信が実施される。
【００４０】
そのため、ユーザが事前に、携帯電話番号と、切替先のＩＰ電話アプリ名として相手側端末にてインストールしているＩＰ電話アプリ名およびＩＰ電話アプリＩＤと、を対応付けたデータベース３１５を登録し、ローカルまたはネットワーク上に保持しておく。これにより、相手側端末の携帯電話番号とＩＰ電話アプリ情報との対応付けを実施することができる（たとえば図４，図１５，図１６参照）。
【００４１】
＜システム制御部＞
システム制御部３２０は、他の携帯電話との間の無線通信などのシステム制御を行う。たとえば、システム制御部３２０は、メッセージ送受信部３２１と、通話音声制御部３２２と、ハンドオーバ予測部３２３と、無線通信処理部３２４と、を備える。
【００４２】
メッセージ送受信部３２１は、アプリケーション制御部３１０のメッセージ送受信部３１４との間の通信のインターフェースであり、メッセージ送受信部３１４との間でメッセージの送受信を行う。
【００４３】
通話音声制御部３２２は、スピーカ３３２およびマイク３３３を用いた通話音声の制御を行う。たとえば、通話音声制御部３２２は、無線通信処理部３２４によって受信された他の携帯電話からの音声データをスピーカ３３２から音声出力する。また、通話音声制御部３２２は、マイク３３３から音声入力された携帯電話３００のユーザの音声データを無線通信処理部３２４から他の携帯電話へ送信させる。
【００４４】
ハンドオーバ予測部３２３は、無線通信処理部３２４から無線電波状況通知にて通知された情報に基づいて電波品質の判定を行い、無線ネットワーク２３０からのハンドオーバ要求の発生の予測を行う。ハンドオーバ予測部３２３は、ハンドオーバの発生を予測した場合に、ハンドオーバ発生可能性有り通知をメッセージ送受信部３２１へ送信する。
【００４５】
無線通信処理部３２４は、無線ネットワーク２３０とのインターフェースを有し、他の携帯端末と無線ネットワーク間メッセージの送受信を行う。また、無線通信処理部３２４は、無線ネットワーク２３０の電波品質を測定し、測定結果をハンドオーバ予測部３２３へ通知する。
【００４６】
アプリケーション制御部３１０およびシステム制御部３２０の各部の動作については後述する。図１Ａ，図１Ｂに示した通信部１１１は、たとえばメッセージ送受信部３２１、通話音声制御部３２２、無線通信処理部３２４、アンテナ３３１、スピーカ３３２およびマイク３３３によって実現することができる。図１Ａ，図１Ｂに示した検出部１１２は、たとえばハンドオーバ予測部３２３によって実現することができる。図１Ａ，図１Ｂに示した制御部１１３は、たとえば音声通信切替制御部３１１、呼制御部３１２およびメッセージ送受信部３１４によって実現することができる。
【００４７】
アプリケーション制御部３１０およびシステム制御部３２０のそれぞれは、たとえばＤＳＰ（Ｄｉｇｉｔａｌ  Ｓｉｇｎａｌ  Ｐｒｏｃｅｓｓｏｒ）やＦＰＧＡ（Ｆｉｅｌｄ  Ｐｒｏｇｒａｍｍａｂｌｅ  Ｇａｔｅ  Ａｒｒａｙ）などのデジタル回路によって実現することができる。また、無線通信処理部３２４は、変調器、復調器、周波数変換器などを含んでいてもよい。また、通話音声制御部３２２や無線通信処理部３２４は、ＡＤＣ（Ａｎａｌｏｇ／Ｄｉｇｉｔａｌ  Ｃｏｎｖｅｒｔｅｒ：アナログ／デジタル変換器）やＤＡＣ（Ｄｉｇｉｔａｌ／Ａｎａｌｏｇ  Ｃｏｎｖｅｒｔｅｒ：デジタル／アナログ変換器）を含んでいてもよい。
【００４８】
（ＩＰ電話アプリのデータベース）
図４は、ＩＰ電話アプリのデータベースの一例を示す図である。図３に示したデータベース３１５は、たとえば図４に示す対応情報４００を保持している。対応情報４００においては「着信側端末」と「切替先ＩＰ電話アプリ名」と「ＩＰ電話アプリＩＤ」とが対応付けられている。「着信側端末」は、ＩＰ電話アプリによる通話先の携帯電話の識別情報であり、図４に示す例では電話番号である。
【００４９】
「切替先ＩＰ電話アプリ名」は、ＩＰ電話アプリによる通話先の携帯電話において使用されるＩＰ電話アプリの名称である。「ＩＰ電話アプリＩＤ」は、ＩＰ電話アプリによる通話先の携帯電話のＩＰ電話アプリにおける識別情報である。
【００５０】
（ＩＰ電話アプリ制御同期用のＳＭＳメッセージのフォーマット）
図５は、ＩＰ電話アプリ制御同期用のＳＭＳメッセージのフォーマットの一例を示す図である。音声通信切替制御部３１１は、たとえば図５に示すフォーマット５００のＳＭＳメッセージを、呼制御部３１２を介して他の携帯電話との間で送受信することにより、音声通信の切替制御を行う。
【００５１】
フォーマット５００に示すように、ＩＰ電話アプリ制御同期用のＳＭＳメッセージは、「ＳＭＳｔｙｐｅ：ＩＰｐｈｏｎｅＡｐｌｉｃａｔｉｏｎＣｏｎｔｒｏｌ」と「ＭＳＧｔｙｐｅ」とを含む。「ＳＭＳｔｙｐｅ：ＩＰｐｈｏｎｅＡｐｌｉｃａｔｉｏｎＣｏｎｔｒｏｌ」は、ＳＭＳメッセージがＩＰ電話アプリ制御同期用のＳＭＳメッセージであることを示す情報である。
【００５２】
「ＭＳＧｔｙｐｅ」は、ＳＭＳメッセージの種別を示す情報である。一例としては、「ＭＳＧｔｙｐｅ」には“０”〜“７”のいずれかの値が設定される。
【００５３】
「ＭＳＧｔｙｐｅ」の“０”は、ＩＰ電話アプリ起動要求を示す。
「ＭＳＧｔｙｐｅ」の“１”は、ＩＰ電話アプリ起動ＯＫ応答を示す。
「ＭＳＧｔｙｐｅ」の“２”は、ＩＰ電話アプリでの音声通話へ切替要求を示す。
「ＭＳＧｔｙｐｅ」の“３”は、ＩＰ電話アプリでの音声通話へ切替ＯＫ応答を示す。
「ＭＳＧｔｙｐｅ」の“４”は、ＶｏＬＴＥでの音声通話へ切替要求を示す。
「ＭＳＧｔｙｐｅ」の“５”は、ＶｏＬＴＥでの音声通話へ切替ＯＫ応答を示す。
「ＭＳＧｔｙｐｅ」の“６”は、ＩＰ電話アプリ終了要求を示す。
「ＭＳＧｔｙｐｅ」の“７”は、ＩＰ電話アプリ終了ＯＫ応答を示す。
【００５４】
（動作例１にかかる第１端末の処理）
図６は、動作例１にかかる第１端末の処理の一例を示すフローチャートである。第１端末２１１は、ＬＴＥ網セル２２１に接続し、ＶｏＬＴＥで第２端末２１２と通話中に、たとえば図６に示す各ステップを繰り返し実行する。
【００５５】
まず、第１端末２１１は、第１端末２１１の３Ｇ網セル２２２へのハンドオーバ発生予測を実施し（ステップＳ６０１）、第１端末２１１の３Ｇ網セル２２２へのハンドオーバが発生するか否かを判断する（ステップＳ６０２）。たとえば、第１端末２１１は、ＬＴＥ網セル２２１における電波品質が閾値を下回り、かつ３Ｇ網セル２２２における電波品質が閾値を上回った場合に、３Ｇ網セル２２２へのハンドオーバが発生すると判断する。
【００５６】
ステップＳ６０２において、３Ｇ網セル２２２へのハンドオーバが発生しないと判断した場合（ステップＳ６０２：Ｎｏ）は、第１端末２１１は、一連の処理を終了する。３Ｇ網セル２２２へのハンドオーバが発生すると判断した場合（ステップＳ６０２：Ｙｅｓ）は、第１端末２１１は、ＩＰ電話アプリの起動要求を第２端末２１２へ送信する（ステップＳ６０３）。
【００５７】
つぎに、第１端末２１１は、第２端末２１２からの応答を受信したか否かを判断し（ステップＳ６０４）、第２端末２１２からの応答を受信するまで待つ（ステップＳ６０４：Ｎｏのループ）。第２端末２１２からの応答を受信すると（ステップＳ６０４：Ｙｅｓ）、第１端末２１１は、受信した応答が起動ＯＫの応答であるか否かを判断する（ステップＳ６０５）。起動ＯＫの応答でない場合（ステップＳ６０５：Ｎｏ）は、第１端末２１１は、一連の処理を終了する。
【００５８】
ステップＳ６０５において、起動ＯＫの応答である場合（ステップＳ６０５：Ｙｅｓ）は、第１端末２１１は、第１端末２１１でのＩＰ電話アプリ用のＰＤＮを確立する（ステップＳ６０６）。
【００５９】
つぎに、第１端末２１１は、データベース３１５から第２端末２１２のＩＰ電話アプリ情報を抽出する（ステップＳ６０７）。ＩＰ電話アプリ情報は、たとえば図４に示した「切替先ＩＰ電話アプリ名」や「ＩＰ電話アプリＩＤ」である。
【００６０】
つぎに、第１端末２１１は、第２端末２１２のＩＰ電話アプリとの接続を確立する（ステップＳ６０８）。つぎに、第１端末２１１は、ステップＳ６０７によって抽出したＩＰ電話アプリ情報に基づいて、ＩＰ電話アプリでの音声通話への切替要求を第２端末２１２へ送信する（ステップＳ６０９）。
【００６１】
つぎに、第１端末２１１は、第２端末２１２からの応答を受信したか否かを判断し（ステップＳ６１０）、第２端末２１２からの応答を受信するまで待つ（ステップＳ６１０：Ｎｏのループ）。第２端末２１２からの応答を受信すると（ステップＳ６１０：Ｙｅｓ）、第１端末２１１は、受信した応答が切替ＯＫの応答であるか否かを判断する（ステップＳ６１１）。
【００６２】
ステップＳ６１１において、切替ＯＫの応答である場合（ステップＳ６１１：Ｙｅｓ）は、第１端末２１１は、第２端末２１２とのＶｏＬＴＥ通話を切断する（ステップＳ６１２）。また、第１端末２１１は、３Ｇ網セル２２２でＩＰ電話アプリによる通話を開始する（ステップＳ６１３）。そして、第１端末２１１は、一連の処理を終了する。
【００６３】
ステップＳ６１１において、切替ＯＫの応答でない場合（ステップＳ６１１：Ｎｏ）は、第１端末２１１は、ＶｏＬＴＥでの音声通話への切替要求を第２端末２１２へ送信する（ステップＳ６１４）。また、第１端末２１１は、ＩＰ電話アプリ終了要求を第２端末２１２へ送信する（ステップＳ６１５）。つぎに、第１端末２１１は、第１端末２１１でのＩＰ電話アプリ用のＰＤＮを切断し（ステップＳ６１６）、一連の処理を終了する。
【００６４】
（動作例１にかかる第２端末の処理）
図７は、動作例１にかかる第２端末の処理の一例を示すフローチャートである。第２端末２１２は、ＬＴＥ網セル２２１に接続中の第１端末２１１とＶｏＬＴＥで通話中に、たとえば図７に示す各ステップを繰り返し実行する。
【００６５】
まず、第２端末２１２は、ＩＰ電話アプリの起動要求を第１端末２１１から受信したか否かを判断し（ステップＳ７０１）、ＩＰ電話アプリの起動要求を受信するまで待つ（ステップＳ７０１：Ｎｏのループ）。ＩＰ電話アプリの起動要求を受信すると（ステップＳ７０１：Ｙｅｓ）、第２端末２１２は、第２端末２１２でのＩＰ電話アプリ用のＰＤＮを確立する（ステップＳ７０２）。
【００６６】
つぎに、第２端末２１２は、ＩＰ電話アプリの起動ＯＫの応答を第１端末２１１へ送信する（ステップＳ７０３）。つぎに、第２端末２１２は、第１端末２１１のＩＰ電話アプリとの接続を確立する（ステップＳ７０４）。
【００６７】
つぎに、第２端末２１２は、ＩＰ電話アプリでの音声通話への切替要求を第１端末２１１から受信したか否かを判断し（ステップＳ７０５）、切替要求を受信するまで待つ（ステップＳ７０５：Ｎｏのループ）。切替要求を受信すると（ステップＳ７０５：Ｙｅｓ）、第２端末２１２は、第１端末２１１との間でＩＰ電話アプリでの音声通話への切替を実施する（ステップＳ７０６）。つぎに、第２端末２１２は、ＩＰ電話アプリでの音声通話への切替ＯＫの応答を第１端末２１１へ送信する（ステップＳ７０７）。
【００６８】
つぎに、第２端末２１２は、ＶｏＬＴＥでの音声通話への切替要求を第１端末２１１から受信したか否かを判断する（ステップＳ７０８）。ＶｏＬＴＥでの音声通話への切替要求を受信していない場合（ステップＳ７０８：Ｎｏ）は、第２端末２１２は、第１端末２１１とのＶｏＬＴＥ通話を切断する（ステップＳ７０９）。また、第２端末２１２は、３Ｇ網セル２２２でＩＰ電話アプリによる通話を開始し（ステップＳ７１０）、一連の処理を終了する。
【００６９】
ステップＳ７０８において、ＶｏＬＴＥでの音声通話への切替要求を受信した場合（ステップＳ７０８：Ｙｅｓ）は、第２端末２１２は、ＩＰ電話アプリからＶｏＬＴＥへの切替を実施する（ステップＳ７１１）。つぎに、第２端末２１２は、ＶｏＬＴＥでの音声通話への切替ＯＫの応答を第１端末２１１へ送信する（ステップＳ７１２）。
【００７０】
つぎに、第２端末２１２は、ＩＰ電話アプリ終了要求を第１端末２１１から受信したか否かを判断し（ステップＳ７１３）、ＩＰ電話アプリ終了要求を受信するまで待つ（ステップＳ７１３：Ｎｏのループ）。ＩＰ電話アプリ終了要求を受信すると（ステップＳ７１３：Ｙｅｓ）、第２端末２１２は、第２端末２１２でのＩＰ電話アプリ用のＰＤＮを切断する（ステップＳ７１４）。つぎに、第２端末２１２は、ＩＰ電話アプリの終了ＯＫの応答を第１端末２１１へ送信し（ステップＳ７１５）、一連の処理を終了する。
【００７１】
（動作例１にかかる通信システムの動作）
図８Ａ〜図８Ｅは、動作例１にかかる通信システムの動作の一例を示すシーケンス図である。第１端末２１１および第２端末２１２を含む通信システム２００は、動作例１において、たとえば図８Ａ〜図８Ｅに示す各ステップのように動作する。
【００７２】
図８Ａ〜図８Ｅにおいて、第１端末２１１の各部の符号の末尾にａを付し、第２端末２１２の各部の符号の末尾にｂを付している。たとえば、図８Ａ〜図８Ｅにおいて、第１端末２１１のアプリケーション制御部３１０はアプリケーション制御部３１０ａとし、第２端末２１２のアプリケーション制御部３１０はアプリケーション制御部３１０ｂとしている。また、図８Ａ〜図８Ｅに示すＩＭＳサーバ８００は、ＬＴＥ網セル２２１においてＩＭＳサービスを提供するサーバである。
【００７３】
図８Ａに示すように、まず、第１端末２１１がＬＴＥ網セル２２１に接続しており、第１端末２１１と第２端末２１２との間において、ＬＴＥ網でＶｏＬＴＥ通話中であるとする（ステップＳ８０１）。このとき、第１端末２１１の無線通信処理部３２４ａが、無線電波状況を通知する無線電波状況通知をハンドオーバ予測部３２３ａへ出力する（ステップＳ８０２）。
【００７４】
つぎに、ハンドオーバ予測部３２３ａが、ステップＳ８０２により出力された無線電波状況通知に基づいて、第１端末２１１のハンドオーバ発生予測を実施する（ステップＳ８０３）。ステップＳ８０３において、ハンドオーバ予測部３２３ａは、第１端末２１１の３Ｇ網セル２２２へのハンドオーバが発生すると予測したとする。
【００７５】
この場合は、第１端末２１１は、ＩＰ電話アプリへの切替を開始する。具体的には、ハンドオーバ予測部３２３ａが、３Ｇ網セル２２２へのハンドオーバ発生可能性があることを通知するハンドオーバ発生可能性有り通知をメッセージ送受信部３２１ａへ出力する（ステップＳ８０４）。
【００７６】
つぎに、メッセージ送受信部３２１ａが、ハンドオーバ発生可能性有り通知をメッセージ送受信部３１４ａへ出力する（ステップＳ８０５）。つぎに、メッセージ送受信部３１４ａが、ハンドオーバ発生可能性有り通知を音声通信切替制御部３１１ａへ出力する（ステップＳ８０６）。
【００７７】
つぎに、音声通信切替制御部３１１ａが、ステップＳ８０６により出力されたハンドオーバ発生可能性有り通知に基づいて、ＩＰ電話アプリの起動を要求するＳＭＳメッセージを作成する（ステップＳ８０７）。ステップＳ８０７によって作成されるＳＭＳメッセージは、たとえば図５に示したＳＭＳメッセージ（０：ＩＰ電話アプリ起動要求）である。
【００７８】
つぎに、音声通信切替制御部３１１ａが、ステップＳ８０７によって作成したＳＭＳメッセージ（０：ＩＰ電話アプリ起動要求）を呼制御部３１２ａへ出力する（ステップＳ８０８）。つぎに、呼制御部３１２ａが、ＳＭＳメッセージ（０：ＩＰ電話アプリ起動要求）をメッセージ送受信部３１４ａへ出力する（ステップＳ８０９）。
【００７９】
つぎに、メッセージ送受信部３１４ａが、ステップＳ８０９により出力されたＳＭＳメッセージ（０：ＩＰ電話アプリ起動要求）をメッセージ送受信部３２１ａへ出力する（ステップＳ８１０）。
【００８０】
つぎに、メッセージ送受信部３２１ａが、ステップＳ８１０により出力されたＳＭＳメッセージ（０：ＩＰ電話アプリ起動要求）を無線通信処理部３２４ａへ出力する（ステップＳ８１１）。つぎに、無線通信処理部３２４ａが、ステップＳ８１１により出力されたＳＭＳメッセージ（０：ＩＰ電話アプリ起動要求）をＬＴＥ網セル２２１へ送出する（ステップＳ８１２）。
【００８１】
つぎに、ＬＴＥ網セル２２１が、ステップＳ８１２によって送出されたＳＭＳメッセージ（０：ＩＰ電話アプリ起動要求）を第２端末２１２へ送信する（ステップＳ８１３）。つぎに、第２端末２１２の無線通信処理部３２４ｂが、ステップＳ８１３によって送信されたＳＭＳメッセージ（０：ＩＰ電話アプリ起動要求）をメッセージ送受信部３２１ｂへ出力する（ステップＳ８１４）。
【００８２】
つぎに、メッセージ送受信部３２１ｂが、ステップＳ８１４により出力されたＳＭＳメッセージ（０：ＩＰ電話アプリ起動要求）をメッセージ送受信部３１４ｂへ出力する（ステップＳ８１５）。つぎに、メッセージ送受信部３１４ｂが、ステップＳ８１５により出力されたＳＭＳメッセージ（０：ＩＰ電話アプリ起動要求）を呼制御部３１２ｂへ出力する（ステップＳ８１６）。
【００８３】
つぎに、呼制御部３１２ｂが、ステップＳ８１６により出力されたＳＭＳメッセージ（０：ＩＰ電話アプリ起動要求）を音声通信切替制御部３１１ｂへ出力する（ステップＳ８１７）。つぎに、音声通信切替制御部３１１ｂが、ＩＰ電話アプリの起動を要求するＩＰ電話アプリ起動要求をＩＰ電話アプリ制御部３１３ｂへ出力する（ステップＳ８１８）。
【００８４】
つぎに、ＩＰ電話アプリ制御部３１３ｂが、ＩＰ電話アプリ用のＰＤＮの確立を要求するＩＰ電話アプリ用ＰＤＮ確立要求を呼制御部３１２ｂへ出力する（ステップＳ８１９）。これにより、第２端末２１２でのＩＰ電話アプリ用ＰＤＮ確立シーケンスが行われ（ステップＳ８２０）、第２端末２１２のＩＰ電話アプリ用のＰＤＮが確立される。
【００８５】
つぎに、呼制御部３１２ｂが、ＩＰ電話アプリ用のＰＤＮの確立完了を通知するＩＰ電話アプリ用ＰＤＮ確立完了通知をＩＰ電話アプリ制御部３１３ｂへ出力する（ステップＳ８２１）。
【００８６】
図８Ｂに示すように、つぎに、ＩＰ電話アプリ制御部３１３ｂが、ＩＰ電話アプリを起動し（ステップＳ８２２）、接続待ち状態となる。つぎに、ＩＰ電話アプリ制御部３１３ｂが、ＩＰ電話アプリの起動完了を通知するＩＰ電話アプリ起動完了通知を音声通信切替制御部３１１ｂへ出力する（ステップＳ８２３）。
【００８７】
つぎに、音声通信切替制御部３１１ｂが、ＩＰ電話アプリの起動完了を通知するＳＭＳメッセージを作成する（ステップＳ８２４）。ステップＳ８２４によって作成されるＳＭＳメッセージは、たとえば図５に示したＳＭＳメッセージ（１：ＩＰ電話アプリ起動ＯＫ応答）である。
【００８８】
つぎに、音声通信切替制御部３１１ｂが、ステップＳ８２４によって作成したＳＭＳメッセージ（１：ＩＰ電話アプリ起動ＯＫ応答）を呼制御部３１２ｂへ出力する（ステップＳ８２５）。つぎに、呼制御部３１２ｂが、ステップＳ８２５により出力されたＳＭＳメッセージ（１：ＩＰ電話アプリ起動ＯＫ応答）をメッセージ送受信部３１４ｂへ出力する（ステップＳ８２６）。
【００８９】
つぎに、メッセージ送受信部３１４ｂが、ステップＳ８２６により出力されたＳＭＳメッセージ（１：ＩＰ電話アプリ起動ＯＫ応答）をメッセージ送受信部３２１ｂへ出力する（ステップＳ８２７）。つぎに、メッセージ送受信部３２１ｂが、ステップＳ８２７により出力されたＳＭＳメッセージ（１：ＩＰ電話アプリ起動ＯＫ応答）を無線通信処理部３２４ｂへ出力する（ステップＳ８２８）。
【００９０】
つぎに、無線通信処理部３２４ｂが、ステップＳ８２８により出力されたＳＭＳメッセージ（１：ＩＰ電話アプリ起動ＯＫ応答）をＬＴＥ網セル２２１へ送出する（ステップＳ８２９）。つぎに、ＬＴＥ網セル２２１が、ステップＳ８２９によって送出されたＳＭＳメッセージ（１：ＩＰ電話アプリ起動ＯＫ応答）を第１端末２１１へ送信する（ステップＳ８３０）。
【００９１】
つぎに、第１端末２１１の無線通信処理部３２４ａが、ステップＳ８３０によって送信されたＳＭＳメッセージ（１：ＩＰ電話アプリ起動ＯＫ応答）をメッセージ送受信部３２１ａへ出力する（ステップＳ８３１）。つぎに、メッセージ送受信部３２１ａが、ステップＳ８３１により出力されたＳＭＳメッセージ（１：ＩＰ電話アプリ起動ＯＫ応答）をメッセージ送受信部３１４ａへ出力する（ステップＳ８３２）。
【００９２】
つぎに、メッセージ送受信部３１４ａが、ステップＳ８３２により出力されたＳＭＳメッセージ（１：ＩＰ電話アプリ起動ＯＫ応答）を呼制御部３１２ａへ出力する（ステップＳ８３３）。つぎに、呼制御部３１２ａが、ステップＳ８３３により出力されたＳＭＳメッセージ（１：ＩＰ電話アプリ起動ＯＫ応答）を音声通信切替制御部３１１ａへ出力する（ステップＳ８３４）。
【００９３】
つぎに、音声通信切替制御部３１１ａが、ＩＰ電話アプリの起動を要求するＩＰ電話アプリ起動要求をＩＰ電話アプリ制御部３１３ａへ出力（ステップＳ８３５）。つぎに、ＩＰ電話アプリ制御部３１３ａが、ＩＰ電話アプリ用のＰＤＮの確立を要求するＩＰ電話アプリ用ＰＤＮ確立要求を呼制御部３１２ａへ出力する（ステップＳ８３６）。これにより、第１端末２１１でのＩＰ電話アプリ用ＰＤＮ確立シーケンスが行われ（ステップＳ８３７）、第１端末２１１のＩＰ電話アプリ用のＰＤＮが確立される。
【００９４】
つぎに、呼制御部３１２ａが、ＩＰ電話アプリ用のＰＤＮの確立完了を通知するＩＰ電話アプリ用ＰＤＮ確立完了通知をＩＰ電話アプリ制御部３１３ａへ出力する（ステップＳ８３８）。つぎに、ＩＰ電話アプリ制御部３１３ａが、データベース３１５から、現在通話中相手の電話番号に対応するＩＰ電話アプリ情報を抽出する（ステップＳ８３９）。
【００９５】
図８Ｃに示すように、つぎに、ＩＰ電話アプリ制御部３１３ａが、ＩＰ電話アプリを起動し（ステップＳ８４０）、接続待ち状態となる。つぎに、ＩＰ電話アプリ制御部３１３ａが、ＩＰ電話アプリの起動完了を通知するＩＰ電話アプリ起動完了通知を音声通信切替制御部３１１ａへ出力する（ステップＳ８４１）。
【００９６】
つぎに、音声通信切替制御部３１１ａが、ＩＰ電話アプリの接続を要求するＩＰ電話アプリ接続要求をＩＰ電話アプリ制御部３１３ａへ出力する（ステップＳ８４２）。これにより、第１端末２１１および第２端末２１２のＩＰ電話アプリ間での接続確立シーケンスが実行され（ステップＳ８４３）、第１端末２１１および第２端末２１２のＩＰ電話アプリ間の接続が確立される。
【００９７】
つぎに、ＩＰ電話アプリ制御部３１３ａが、ＩＰ電話アプリの接続完了を通知するＩＰ電話アプリ接続完了通知を音声通信切替制御部３１１ａへ出力する（ステップＳ８４４）。これにより、第１端末２１１および第２端末２１２は、ＩＰ電話アプリの接続が完了し、音声切替待ち状態となる（ステップＳ８４５）。
【００９８】
つぎに、音声通信切替制御部３１１ａが、ＩＰ電話アプリでの音声通話への切替を要求するＳＭＳメッセージを作成する（ステップＳ８４６）。ステップＳ８４６によって作成されるＳＭＳメッセージは、たとえば図５に示したＳＭＳメッセージ（２：ＩＰ電話アプリでの音声通話へ切替要求）である。
【００９９】
つぎに、音声通信切替制御部３１１ａが、ステップＳ８４６によって作成したＳＭＳメッセージ（２：ＩＰ電話アプリでの音声通話へ切替要求）を呼制御部３１２ａへ出力する（ステップＳ８４７）。つぎに、呼制御部３１２ａが、ステップＳ８４７により出力されたＳＭＳメッセージ（２：ＩＰ電話アプリでの音声通話へ切替要求）をメッセージ送受信部３１４ａへ出力する（ステップＳ８４８）。
【０１００】
つぎに、メッセージ送受信部３１４ａが、ステップＳ８４８により出力されたＳＭＳメッセージ（２：ＩＰ電話アプリでの音声通話へ切替要求）をメッセージ送受信部３２１ａへ出力する（ステップＳ８４９）。つぎに、メッセージ送受信部３２１ａが、ステップＳ８４９により出力されたＳＭＳメッセージ（２：ＩＰ電話アプリでの音声通話へ切替要求）を無線通信処理部３２４ａへ出力する（ステップＳ８５０）。
【０１０１】
つぎに、無線通信処理部３２４ａが、ステップＳ８５０により出力されたＳＭＳメッセージ（２：ＩＰ電話アプリでの音声通話へ切替要求）をＬＴＥ網セル２２１へ送出する（ステップＳ８５１）。つぎに、ＬＴＥ網セル２２１が、ステップＳ８５１によって送出されたＳＭＳメッセージ（２：ＩＰ電話アプリでの音声通話へ切替要求）を第２端末２１２へ送信する（ステップＳ８５２）。
【０１０２】
つぎに、第２端末２１２の無線通信処理部３２４ｂが、ステップＳ８５２によって送信されたＳＭＳメッセージ（２：ＩＰ電話アプリでの音声通話へ切替要求）をメッセージ送受信部３２１ｂへ出力する（ステップＳ８５３）。つぎに、メッセージ送受信部３２１ｂが、ステップＳ８５３により出力されたＳＭＳメッセージ（２：ＩＰ電話アプリでの音声通話へ切替要求）をメッセージ送受信部３１４ｂへ出力する（ステップＳ８５４）。
【０１０３】
つぎに、メッセージ送受信部３１４ｂが、ステップＳ８５４により出力されたＳＭＳメッセージ（２：ＩＰ電話アプリでの音声通話へ切替要求）を呼制御部３１２ｂへ出力する（ステップＳ８５５）。つぎに、呼制御部３１２ｂが、ステップＳ８５５により出力されたＳＭＳメッセージ（２：ＩＰ電話アプリでの音声通話へ切替要求）を音声通信切替制御部３１１ｂへ出力する（ステップＳ８５６）。
【０１０４】
つぎに、音声通信切替制御部３１１ｂが、ＩＰ電話アプリでの音声通話への切替を要求する切替要求を呼制御部３１２ｂへ出力する（ステップＳ８５７）。つぎに、呼制御部３１２ｂが、ステップＳ８５７により出力された切替要求をメッセージ送受信部３１４ｂへ出力する（ステップＳ８５８）。
【０１０５】
つぎに、メッセージ送受信部３１４ｂが、ステップＳ８５８により出力された切替要求をメッセージ送受信部３２１ｂへ出力する（ステップＳ８５９）。つぎに、メッセージ送受信部３２１ｂが、ステップＳ８５９により出力された切替要求を通話音声制御部３２２ｂへ出力する（ステップＳ８６０）。つぎに、通話音声制御部３２２ｂが、第１端末２１１との音声通話のＶｏＬＴＥからＩＰ電話アプリへの切替を行う（ステップＳ８６１）。
【０１０６】
図８Ｄに示すように、つぎに、通話音声制御部３２２ｂが、ＩＰ電話アプリでの音声通話への切替完了を通知するＩＰ電話アプリでの音声通話へ切替ＯＫ応答をメッセージ送受信部３２１ｂへ出力する（ステップＳ８６２）。
【０１０７】
つぎに、メッセージ送受信部３２１ｂが、ステップＳ８６２により出力されたＩＰ電話アプリでの音声通話へ切替ＯＫ応答をメッセージ送受信部３１４ｂへ出力する（ステップＳ８６３）。つぎに、メッセージ送受信部３１４ｂが、ステップＳ８６３により出力されたＩＰ電話アプリでの音声通話へ切替ＯＫ応答を呼制御部３１２ｂへ出力する（ステップＳ８６４）。つぎに、呼制御部３１２ｂが、ステップＳ８６４により出力されたＩＰ電話アプリでの音声通話へ切替ＯＫ応答を音声通信切替制御部３１１ｂへ出力する（ステップＳ８６５）。
【０１０８】
つぎに、音声通信切替制御部３１１ｂが、ＩＰ電話アプリでの音声通話への切替完了を通知するＳＭＳメッセージを作成する（ステップＳ８６６）。ステップＳ８６６によって作成されるＳＭＳメッセージは、たとえば図５に示したＳＭＳメッセージ（３：ＩＰ電話アプリでの音声通話へ切替ＯＫ応答）である。
【０１０９】
つぎに、音声通信切替制御部３１１ｂが、ステップＳ８６６によって作成したＳＭＳメッセージ（３：ＩＰ電話アプリでの音声通話へ切替ＯＫ応答）を呼制御部３１２ｂへ出力する（ステップＳ８６７）。つぎに、呼制御部３１２ｂが、ステップＳ８６７により出力されたＳＭＳメッセージ（３：ＩＰ電話アプリでの音声通話へ切替ＯＫ応答）をメッセージ送受信部３１４ｂへ出力する（ステップＳ８６８）。
【０１１０】
つぎに、メッセージ送受信部３１４ｂが、ステップＳ８６８により出力されたＳＭＳメッセージ（３：ＩＰ電話アプリでの音声通話へ切替ＯＫ応答）をメッセージ送受信部３２１ｂへ出力する（ステップＳ８６９）。つぎに、メッセージ送受信部３２１ｂが、ステップＳ８６９により出力されたＳＭＳメッセージ（３：ＩＰ電話アプリでの音声通話へ切替ＯＫ応答）を無線通信処理部３２４ｂへ出力する（ステップＳ８７０）。
【０１１１】
つぎに、無線通信処理部３２４ｂが、ステップＳ８７０により出力されたＳＭＳメッセージ（３：ＩＰ電話アプリでの音声通話へ切替ＯＫ応答）をＬＴＥ網セル２２１へ送出する（ステップＳ８７１）。つぎに、ＬＴＥ網セル２２１が、ステップＳ８７１によって送出されたＳＭＳメッセージ（３：ＩＰ電話アプリでの音声通話へ切替ＯＫ応答）を第１端末２１１へ送信する（ステップＳ８７２）。
【０１１２】
つぎに、第１端末２１１の無線通信処理部３２４ａが、ステップＳ８７２によって送信されたＳＭＳメッセージ（３：ＩＰ電話アプリでの音声通話へ切替ＯＫ応答）をメッセージ送受信部３２１ａへ出力する（ステップＳ８７３）。
【０１１３】
つぎに、メッセージ送受信部３２１ａが、ステップＳ８７３によって送信されたＳＭＳメッセージ（３：ＩＰ電話アプリでの音声通話へ切替ＯＫ応答）をメッセージ送受信部３１４ａへ出力する（ステップＳ８７４）。つぎに、メッセージ送受信部３１４ａが、ステップＳ８７４によって送信されたＳＭＳメッセージ（３：ＩＰ電話アプリでの音声通話へ切替ＯＫ応答）を呼制御部３１２ａへ出力する（ステップＳ８７５）。
【０１１４】
つぎに、呼制御部３１２ａが、ステップＳ８７５により出力されたＳＭＳメッセージ（３：ＩＰ電話アプリでの音声通話へ切替ＯＫ応答）を音声通信切替制御部３１１ａへ出力する（ステップＳ８７６）。つぎに、音声通信切替制御部３１１ａが、ＩＰ電話アプリでの音声通話への切替を要求するＩＰ電話アプリでの音声通話へ切替要求を呼制御部３１２ａへ出力する（ステップＳ８７７）。つぎに、呼制御部３１２ａが、ステップＳ８７７により出力されたＩＰ電話アプリでの音声通話へ切替要求をメッセージ送受信部３１４ａへ出力する（ステップＳ８７８）。
【０１１５】
つぎに、メッセージ送受信部３１４ａが、ステップＳ８７８により出力されたＩＰ電話アプリでの音声通話へ切替要求をメッセージ送受信部３２１ａへ出力する（ステップＳ８７９）。つぎに、メッセージ送受信部３２１ａが、ステップＳ８７９により出力されたＩＰ電話アプリでの音声通話へ切替要求を通話音声制御部３２２ａへ出力する（ステップＳ８８０）。
【０１１６】
つぎに、通話音声制御部３２２ａが、第２端末２１２との音声通話のＶｏＬＴＥからＩＰ電話アプリへの切替を行う（ステップＳ８８１）。つぎに、通話音声制御部３２２ａが、ＩＰ電話アプリでの音声通話への切替完了を通知するＩＰ電話アプリでの音声通話へ切替ＯＫ応答をメッセージ送受信部３２１ａへ出力する（ステップＳ８８２）。
【０１１７】
つぎに、メッセージ送受信部３２１ａが、ステップＳ８８２により出力されたＩＰ電話アプリでの音声通話へ切替ＯＫ応答をメッセージ送受信部３１４ａへ出力する（ステップＳ８８３）。つぎに、メッセージ送受信部３１４ａが、ステップＳ８８３により出力されたＩＰ電話アプリでの音声通話へ切替ＯＫ応答を呼制御部３１２ａへ出力する（ステップＳ８８４）。つぎに、呼制御部３１２ａが、ステップＳ８８４により出力されたＩＰ電話アプリでの音声通話へ切替ＯＫ応答を音声通信切替制御部３１１ａへ出力する（ステップＳ８８５）。
【０１１８】
これにより、第１端末２１１と第２端末２１２との間において、ＬＴＥ網でＩＰ電話アプリ通話中であり、かつＶｏＬＴＥ切断待ちの状態となる（ステップＳ８８６）。つぎに、第１端末２１１と第２端末２１２とのＶｏＬＴＥ切断シーケンスが実行され（ステップＳ８８７）、第１端末２１１と第２端末２１２とのＶｏＬＴＥが切断される。
【０１１９】
これにより、図８Ｅに示すように、第１端末２１１と第２端末２１２との間において、ＬＴＥ網でＩＰ電話アプリ通話中の状態となる（ステップＳ８８８）。つぎに、３Ｇ網セル２２２へのハンドオーバを指示する３Ｇ網へのハンドオーバ指示がＬＴＥ網セル２２１から第１端末２１１へ送信されたとする（ステップＳ８８９）。
【０１２０】
つぎに、第１端末２１１の無線通信処理部３２４ａが、ステップＳ８８９によって送信された３Ｇ網へのハンドオーバ指示をメッセージ送受信部３２１ａへ出力する（ステップＳ８９０）。つぎに、メッセージ送受信部３２１ａが、ステップＳ８９０により出力された３Ｇ網へのハンドオーバ指示をメッセージ送受信部３１４ａへ出力する（ステップＳ８９１）。つぎに、メッセージ送受信部３１４ａが、ステップＳ８９１により出力された３Ｇ網へのハンドオーバ指示を呼制御部３１２ａへ出力する（ステップＳ８９２）。
【０１２１】
つぎに、呼制御部３１２ａが、ステップＳ８９２により出力された３Ｇ網へのハンドオーバ指示を音声通信切替制御部３１１ａへ出力する（ステップＳ８９３）。これにより、第１端末２１１での３Ｇ網（ＰＳ）ハンドオーバシーケンスが行われ（ステップＳ８９４）、第１端末２１１が３Ｇ網セル２２２へハンドオーバする。これにより、第１端末２１１と第２端末２１２との間において、３Ｇ網でＩＰ電話アプリ（ＰＳ呼）にて通話中の状態となる（ステップＳ８９５）。
【０１２２】
（実施の形態２にかかる通信システムの動作例２）
図９Ａ〜図９Ｄは、実施の形態２にかかる通信システムの動作例２を示す図である。図９Ａ〜図９Ｄにおいて、図２Ａ〜図２Ｄに示した部分と同様の部分については同一の符号を付して説明を省略する。動作例２においては、ＬＴＥ網の受信レベルや品質回復に伴い切り戻しに伴う、３Ｇ（ＰＳ呼）からＶｏＬＴＥ呼への引継ぎについて説明する。
【０１２３】
＜３Ｇ網でＣＳ呼通話中＞
たとえば図２Ｄに示した状態において、図９Ａに示すように、第１端末２１１がさらに移動し、３Ｇ網セル２２２の電波品質が低下するとともにＬＴＥ網セル２２１の電波品質が向上しているとする。
【０１２４】
＜ＬＴＥ網へのハンドオーバ実施＞
第１端末２１１は、ＬＴＥ網セル２２１へのハンドオーバ指示を無線ネットワーク２３０から受信すると、図９Ｂに示すように、ＩＰ電話アプリでの音声通話を維持したままＬＴＥ網セル２２１へのハンドオーバを実施する。
【０１２５】
そして、第１端末２１１は、図９Ｃに示すように、ＶｏＬＴＥ接続を実施する。この時点において、第１端末２１１は、ＩＰ電話アプリでの通話を継続しており、ＶｏＬＴＥ呼へ切替待ち状態となる。
【０１２６】
＜ＩＰ電話アプリからＶｏＬＴＥへの切替＞
つぎに、第１端末２１１は、図９Ｄに示すように、ＩＰ電話アプリからＶｏＬＴＥへの切替を実施する。ＩＰ電話アプリからＶｏＬＴＥへの切替は、たとえばＩＰ電話アプリ制御同期用のＳＭＳメッセージを第２端末２１２へ送信することによって行うことができる。たとえば、第１端末２１１は、第２端末２１２へＳＭＳメッセージ（４：ＶｏＬＴＥでの音声通話へ切替要求）を送信する。
【０１２７】
第２端末２１２は、第１端末２１１からのＳＭＳメッセージ（４：ＶｏＬＴＥでの音声通話へ切替要求）を受信すると、音声通話をＩＰ電話アプリからＶｏＬＴＥへ切り替える。そして、第２端末２１２は、第１端末２１１へＳＭＳメッセージ（５：ＶｏＬＴＥでの音声通話へ切替ＯＫ応答）を送信する。
【０１２８】
第１端末２１１は、第２端末２１２からのＳＭＳメッセージ（５：ＶｏＬＴＥでの音声通話へ切替ＯＫ応答）を受信すると、音声通話をＩＰ電話アプリからＶｏＬＴＥへ切り替える。そして、第１端末２１１は、第２端末２１２へＳＭＳメッセージ（６：ＩＰ電話アプリ終了要求）を送信する。
【０１２９】
第２端末２１２は、第１端末２１１からのＳＭＳメッセージ（６：ＩＰ電話アプリ終了要求）を受信すると、ＩＰ電話アプリを終了させ、ＩＰ電話アプリ用のＰＤＮを切断する。そして、第２端末２１２は、第１端末２１１へＳＭＳメッセージ（７：ＩＰ電話アプリ終了ＯＫ応答）を送信する。
【０１３０】
第１端末２１１は、第２端末２１２からのＳＭＳメッセージ（７：ＩＰ電話アプリ終了ＯＫ応答）を受信すると、ＩＰ電話アプリを終了させ、ＩＰ電話アプリ用のＰＤＮを切断する。これにより、第１端末２１１と第２端末２１２はＶｏＬＴＥでの音声通話のみの接続となる。
【０１３１】
（動作例２にかかる第１端末の処理）
図１０は、動作例２にかかる第１端末の処理の一例を示すフローチャートである。第１端末２１１は、３Ｇ網セル２２２に接続し、ＩＰ電話アプリで第２端末２１２と通話中に、たとえば図１０に示す各ステップを実行する。
【０１３２】
まず、第１端末２１１は、ＬＴＥ網（ＬＴＥ網セル２２１）へのハンドオーバを実施するか否かを判断し（ステップＳ１００１）、ＬＴＥ網へのハンドオーバを実施すると判断するまで待つ（ステップＳ１００１：Ｎｏのループ）。ステップＳ１００１による判断は、たとえば無線ネットワーク２３０からのハンドオーバ指示に基づいて行うことができる。ＬＴＥ網へのハンドオーバを実施すると判断すると（ステップＳ１００１：Ｙｅｓ）、第１端末２１１は、第１端末２１１と第２端末２１２とのＶｏＬＴＥ接続を実施する（ステップＳ１００２）。
【０１３３】
つぎに、第１端末２１１は、ＶｏＬＴＥでの音声通話への切替要求を第２端末２１２へ送信する（ステップＳ１００３）。つぎに、第１端末２１１は、第２端末２１２からの応答を受信したか否かを判断し（ステップＳ１００４）、第２端末２１２からの応答を受信するまで待つ（ステップＳ１００４：Ｎｏのループ）。第２端末２１２からの応答を受信すると（ステップＳ１００４：Ｙｅｓ）、第１端末２１１は、受信した応答が、切替ＯＫの応答であるか否かを判断する（ステップＳ１００５）。
【０１３４】
ステップＳ１００５において、切替ＯＫの応答でない場合（ステップＳ１００５：Ｎｏ）は、第１端末２１１は、一連の処理を終了する。切替ＯＫの応答である場合（ステップＳ１００５：Ｙｅｓ）は、第１端末２１１は、ＶｏＬＴＥでの音声通話への切替を実施する（ステップＳ１００６）。
【０１３５】
つぎに、第１端末２１１は、ＩＰ電話アプリ終了要求を第２端末２１２へ送信する（ステップＳ１００７）。つぎに、第１端末２１１は、第１端末２１１でのＩＰ電話アプリ用のＰＤＮを切断し（ステップＳ１００８）、一連の処理を終了する。
【０１３６】
（動作例２にかかる第２端末の処理）
図１１は、動作例２にかかる第２端末の処理の一例を示すフローチャートである。第２端末２１２は、３Ｇ網セル２２２に接続中の第１端末２１１とＩＰ電話アプリで通話中に、たとえば図１１に示す各ステップを実行する。
【０１３７】
まず、第２端末２１２は、第１端末２１１がＬＴＥ網（ＬＴＥ網セル２２１）へのハンドオーバを実施するか否かを判断し（ステップＳ１１０１）、第１端末２１１がＬＴＥ網へのハンドオーバを実施するまで待つ（ステップＳ１１０１：Ｎｏのループ）。ステップＳ１１０１の判断は、たとえば第１端末２１１からの通知に基づいて行うことができる。
【０１３８】
ステップＳ１１０１において、第１端末２１１がＬＴＥ網へのハンドオーバを実施すると（ステップＳ１１０１：Ｙｅｓ）、第２端末２１２は、第１端末２１１と第２端末２１２とのＶｏＬＴＥ接続を実施する（ステップＳ１１０２）。
【０１３９】
つぎに、第２端末２１２は、ＶｏＬＴＥでの音声通話への切替要求を第１端末２１１から受信したか否かを判断し（ステップＳ１１０３）、ＶｏＬＴＥでの音声通話への切替要求を受信するまで待つ（ステップＳ１１０３：Ｎｏのループ）。ＶｏＬＴＥでの音声通話への切替要求を受信すると（ステップＳ１１０３：Ｙｅｓ）、第２端末２１２は、ＶｏＬＴＥでの音声通話への切替を実施する（ステップＳ１１０４）。
【０１４０】
つぎに、第２端末２１２は、ＶｏＬＴＥでの音声通話への切替ＯＫの応答を第１端末２１１へ送信する（ステップＳ１１０５）。つぎに、第２端末２１２は、ＩＰ電話アプリ終了要求を第１端末２１１から受信したか否かを判断し（ステップＳ１１０６）、ＩＰ電話アプリ終了要求を受信するまで待つ（ステップＳ１１０６：Ｎｏのループ）。
【０１４１】
ステップＳ１１０６において、ＩＰ電話アプリ終了要求を受信すると（ステップＳ１１０６：Ｙｅｓ）、第２端末２１２は、ＩＰ電話アプリを終了する（ステップＳ１１０７）。つぎに、第２端末２１２は、第２端末２１２でのＩＰ電話アプリ用のＰＤＮを切断する（ステップＳ１１０８）。つぎに、第２端末２１２は、ＩＰ電話アプリの終了ＯＫの応答を第１端末２１１へ送信し（ステップＳ１１０９）、一連の処理を終了する。
【０１４２】
（動作例２にかかる通信システムの動作）
図１２Ａ〜図１２Ｄは、動作例２にかかる通信システムの動作の一例を示すシーケンス図である。図１２Ａ〜図１２Ｄにおいて、図８Ａ〜図８Ｄに示した部分と同様の部分については同一の符号を付して説明を省略する。通信システム２００は、動作例２において、たとえば図１２Ａ〜図１２Ｄに示す各ステップのように動作する。
【０１４３】
図１２Ａに示すように、まず、第１端末２１１が３Ｇ網セル２２２に接続しており、第１端末２１１と第２端末２１２との間において、３Ｇ網でＩＰ電話アプリ通話中であるとする（ステップＳ１２０１）。
【０１４４】
そして、第１端末２１１でのＬＴＥ網へのハンドオーバシーケンスが行われ（ステップＳ１２０２）、第１端末２１１がＬＴＥ網セル２２１へハンドオーバする。これにより、第１端末２１１と第２端末２１２との間で、ＬＴＥ網でＩＰ電話アプリ通話中であり、かつＶｏＬＴＥ呼へ切替待ちの状態となる（ステップＳ１２０３）。
【０１４５】
つぎに、呼制御部３１２ａが、ＬＴＥ網へのハンドオーバ完了を通知するＬＴＥ網へのハンドオーバ完了通知を音声通信切替制御部３１１ａへ出力する（ステップＳ１２０４）。つぎに、音声通信切替制御部３１１ａが、ＶｏＬＴＥ呼の接続を要求するＶｏＬＴＥ呼接続要求を呼制御部３１２ａへ出力する（ステップＳ１２０５）。
【０１４６】
これにより、第１端末２１１と第２端末２１２とのＶｏＬＴＥ接続シーケンスが行われ（ステップＳ１２０６）、第１端末２１１と第２端末２１２との間でＶｏＬＴＥ呼が接続される。つぎに、呼制御部３１２ａが、ＶｏＬＴＥ呼の接続完了を通知するＶｏＬＴＥ呼接続完了通知を音声通信切替制御部３１１ａへ出力する（ステップＳ１２０７）。
【０１４７】
これにより、第１端末２１１と第２端末２１２との間で、ＬＴＥ網でＩＰ電話アプリ通話中であり、かつＶｏＬＴＥ呼へ切替待ち状態となる（ステップＳ１２０８）。つぎに、音声通信切替制御部３１１ａが、ＶｏＬＴＥでの音声通話への切替を要求するＳＭＳメッセージを作成する（ステップＳ１２０９）。ステップＳ１２０９によって作成されるＳＭＳメッセージは、たとえば図５に示したＳＭＳメッセージ（４：ＶｏＬＴＥでの音声通話へ切替要求）である。
【０１４８】
つぎに、音声通信切替制御部３１１ａが、ステップＳ１２０９によって作成したＳＭＳメッセージ（４：ＶｏＬＴＥでの音声通話へ切替要求）を呼制御部３１２ａへ出力する（ステップＳ１２１０）。つぎに、呼制御部３１２ａが、ステップＳ１２１０により出力されたＳＭＳメッセージ（４：ＶｏＬＴＥでの音声通話へ切替要求）をメッセージ送受信部３１４ａへ出力する（ステップＳ１２１１）。
【０１４９】
つぎに、メッセージ送受信部３１４ａが、ステップＳ１２１１により出力されたＳＭＳメッセージ（４：ＶｏＬＴＥでの音声通話へ切替要求）をメッセージ送受信部３２１ａへ出力する（ステップＳ１２１２）。つぎに、メッセージ送受信部３２１ａが、ステップＳ１２１２により出力されたＳＭＳメッセージ（４：ＶｏＬＴＥでの音声通話へ切替要求）を無線通信処理部３２４ａへ出力する（ステップＳ１２１３）。
【０１５０】
つぎに、無線通信処理部３２４ａが、ステップＳ１２１３により出力されたＳＭＳメッセージ（４：ＶｏＬＴＥでの音声通話へ切替要求）をＬＴＥ網セル２２１へ送出する（ステップＳ１２１４）。つぎに、ＬＴＥ網セル２２１が、ステップＳ１２１４によって送出されたＳＭＳメッセージ（４：ＶｏＬＴＥでの音声通話へ切替要求）を第２端末２１２へ送信する（ステップＳ１２１５）。
【０１５１】
つぎに、第２端末２１２の無線通信処理部３２４ｂが、ステップＳ１２１５によって送信されたＳＭＳメッセージ（４：ＶｏＬＴＥでの音声通話へ切替要求）をメッセージ送受信部３２１ｂへ出力する（ステップＳ１２１６）。つぎに、メッセージ送受信部３２１ｂが、ステップＳ１２１６により出力されたＳＭＳメッセージ（４：ＶｏＬＴＥでの音声通話へ切替要求）をメッセージ送受信部３１４ｂへ出力する（ステップＳ１２１７）。
【０１５２】
つぎに、メッセージ送受信部３１４ｂが、ステップＳ１２１７により出力されたＳＭＳメッセージ（４：ＶｏＬＴＥでの音声通話へ切替要求）を呼制御部３１２ｂへ出力する（ステップＳ１２１８）。つぎに、呼制御部３１２ｂが、ステップＳ１２１８によって出力されたＳＭＳメッセージ（４：ＶｏＬＴＥでの音声通話へ切替要求）を音声通信切替制御部３１１ｂへ出力する（ステップＳ１２１９）。
【０１５３】
つぎに、音声通信切替制御部３１１ｂが、ＶｏＬＴＥでの音声通話への切替を要求するＶｏＬＴＥでの音声通話へ切替要求を呼制御部３１２ｂへ出力する（ステップＳ１２２０）。つぎに、呼制御部３１２ｂが、ステップＳ１２２０によって出力されたＶｏＬＴＥでの音声通話へ切替要求をメッセージ送受信部３１４ｂへ出力する（ステップＳ１２２１）。つぎに、メッセージ送受信部３１４ｂが、ステップＳ１２２１によって出力されたＶｏＬＴＥでの音声通話へ切替要求をメッセージ送受信部３２１ｂへ出力する（ステップＳ１２２２）。つぎに、メッセージ送受信部３２１ｂが、ステップＳ１２２２によって出力されたＶｏＬＴＥでの音声通話へ切替要求を通話音声制御部３２２ｂへ出力する（ステップＳ１２２３）。
【０１５４】
図１２Ｂに示すように、つぎに、通話音声制御部３２２ｂが、第１端末２１１との音声通話のＩＰ電話アプリからＶｏＬＴＥへの切替を行う（ステップＳ１２２４）。つぎに、通話音声制御部３２２ｂが、ＶｏＬＴＥでの音声通話への切替完了を通知するＶｏＬＴＥでの音声通話へ切替ＯＫ応答をメッセージ送受信部３２１ｂへ出力する（ステップＳ１２２５）。
【０１５５】
つぎに、メッセージ送受信部３２１ｂが、ステップＳ１２２５により出力されたＶｏＬＴＥでの音声通話へ切替ＯＫ応答をメッセージ送受信部３１４ｂへ出力する（ステップＳ１２２６）。つぎに、メッセージ送受信部３１４ｂが、ステップＳ１２２６により出力されたＶｏＬＴＥでの音声通話へ切替ＯＫ応答を呼制御部３１２ｂへ出力する（ステップＳ１２２７）。つぎに、呼制御部３１２ｂが、ステップＳ１２２７により出力されたＶｏＬＴＥでの音声通話へ切替ＯＫ応答を音声通信切替制御部３１１ｂへ出力する（ステップＳ１２２８）。
【０１５６】
つぎに、音声通信切替制御部３１１ｂが、ＶｏＬＴＥでの音声通話への切替完了を通知するＳＭＳメッセージを作成する（ステップＳ１２２９）。ステップＳ１２２９によって作成されるＳＭＳメッセージは、たとえば図５に示したＳＭＳメッセージ（５：ＶｏＬＴＥでの音声通話へ切替ＯＫ応答）である。
【０１５７】
つぎに、音声通信切替制御部３１１ｂが、ステップＳ１２２９によって作成したＳＭＳメッセージ（５：ＶｏＬＴＥでの音声通話へ切替ＯＫ応答）を呼制御部３１２ｂへ出力する（ステップＳ１２３０）。つぎに、呼制御部３１２ｂが、ステップＳ１２３０により出力されたＳＭＳメッセージ（５：ＶｏＬＴＥでの音声通話へ切替ＯＫ応答）をメッセージ送受信部３１４ｂへ出力する（ステップＳ１２３１）。
【０１５８】
つぎに、メッセージ送受信部３１４ｂが、ステップＳ１２３１により出力されたＳＭＳメッセージ（５：ＶｏＬＴＥでの音声通話へ切替ＯＫ応答）をメッセージ送受信部３２１ｂへ出力する（ステップＳ１２３２）。つぎに、メッセージ送受信部３２１ｂが、ステップＳ１２３２により出力されたＳＭＳメッセージ（５：ＶｏＬＴＥでの音声通話へ切替ＯＫ応答）を無線通信処理部３２４ｂへ出力する（ステップＳ１２３３）。
【０１５９】
つぎに、無線通信処理部３２４ｂが、ステップＳ１２３３により出力されたＳＭＳメッセージ（５：ＶｏＬＴＥでの音声通話へ切替ＯＫ応答）をＬＴＥ網セル２２１へ送出する（ステップＳ１２３４）。つぎに、ＬＴＥ網セル２２１が、ステップＳ１２３４によって送出されたＳＭＳメッセージ（５：ＶｏＬＴＥでの音声通話へ切替ＯＫ応答）を第１端末２１１へ送信する（ステップＳ１２３５）。
【０１６０】
つぎに、第１端末２１１の無線通信処理部３２４ａが、ステップＳ１２３５によって送信されたＳＭＳメッセージ（５：ＶｏＬＴＥでの音声通話へ切替ＯＫ応答）をメッセージ送受信部３２１ａへ出力する（ステップＳ１２３６）。
【０１６１】
つぎに、メッセージ送受信部３２１ａが、ステップＳ１２３６によって送信されたＳＭＳメッセージ（５：ＶｏＬＴＥでの音声通話へ切替ＯＫ応答）をメッセージ送受信部３１４ａへ出力する（ステップＳ１２３７）。つぎに、メッセージ送受信部３１４ａが、ステップＳ１２３７によって送信されたＳＭＳメッセージ（５：ＶｏＬＴＥでの音声通話へ切替ＯＫ応答）を呼制御部３１２ａへ出力する（ステップＳ１２３８）。
【０１６２】
つぎに、呼制御部３１２ａが、ステップＳ１２３８により出力されたＳＭＳメッセージ（５：ＶｏＬＴＥでの音声通話へ切替ＯＫ応答）を音声通信切替制御部３１１ａへ出力する（ステップＳ１２３９）。
【０１６３】
つぎに、音声通信切替制御部３１１ａが、ＶｏＬＴＥでの音声通話への切替を要求するＶｏＬＴＥでの音声通話へ切替要求を呼制御部３１２ａへ出力する（ステップＳ１２４０）。つぎに、呼制御部３１２ａが、ステップＳ１２４０により出力されたＶｏＬＴＥでの音声通話へ切替要求をメッセージ送受信部３１４ａへ出力する（ステップＳ１２４１）。
【０１６４】
つぎに、メッセージ送受信部３１４ａが、ステップＳ１２４１により出力されたＶｏＬＴＥでの音声通話へ切替要求をメッセージ送受信部３２１ａへ出力する（ステップＳ１２４２）。つぎに、メッセージ送受信部３２１ａが、ステップＳ１２４２により出力されたＶｏＬＴＥでの音声通話へ切替要求を通話音声制御部３２２ａへ出力する（ステップＳ１２４３）。
【０１６５】
つぎに、通話音声制御部３２２ａが、第２端末２１２との音声通話のＩＰ電話アプリからＶｏＬＴＥへの切替を行う（ステップＳ１２４４）。つぎに、通話音声制御部３２２ａが、ＶｏＬＴＥでの音声通話への切替完了を通知するＶｏＬＴＥでの音声通話へ切替ＯＫ応答をメッセージ送受信部３２１ａへ出力する（ステップＳ１２４５）。
【０１６６】
つぎに、メッセージ送受信部３２１ａが、ステップＳ１２４５により出力されたＶｏＬＴＥでの音声通話へ切替ＯＫ応答をメッセージ送受信部３１４ａへ出力する（ステップＳ１２４６）。つぎに、メッセージ送受信部３１４ａが、ステップＳ１２４６により出力されたＶｏＬＴＥでの音声通話へ切替ＯＫ応答を呼制御部３１２ａへ出力する（ステップＳ１２４７）。つぎに、呼制御部３１２ａが、ステップＳ１２４７により出力されたＶｏＬＴＥでの音声通話へ切替ＯＫ応答を音声通信切替制御部３１１ａへ出力する（ステップＳ１２４８）。
【０１６７】
つぎに、音声通信切替制御部３１１ａが、ＩＰ電話アプリの終了を要求するＳＭＳメッセージを作成する（ステップＳ１２４９）。ステップＳ１２４９によって作成されるＳＭＳメッセージは、たとえば図５に示したＳＭＳメッセージ（６：ＩＰ電話アプリ終了要求）である。
【０１６８】
図１２Ｃに示すように、つぎに、音声通信切替制御部３１１ａが、ステップＳ１２４９によって作成したＳＭＳメッセージ（６：ＩＰ電話アプリ終了要求）を呼制御部３１２ａへ出力する（ステップＳ１２５０）。つぎに、呼制御部３１２ａが、ステップＳ１２５０により出力されたＳＭＳメッセージ（６：ＩＰ電話アプリ終了要求）をメッセージ送受信部３１４ａへ出力する（ステップＳ１２５１）。
【０１６９】
つぎに、メッセージ送受信部３１４ａが、ステップＳ１２５１により出力されたＳＭＳメッセージ（６：ＩＰ電話アプリ終了要求）をメッセージ送受信部３２１ａへ出力する（ステップＳ１２５２）。つぎに、メッセージ送受信部３２１ａが、ステップＳ１２５２により出力されたＳＭＳメッセージ（６：ＩＰ電話アプリ終了要求）を無線通信処理部３２４ａへ出力する（ステップＳ１２５３）。
【０１７０】
つぎに、無線通信処理部３２４ａが、ステップＳ１２５３により出力されたＳＭＳメッセージ（６：ＩＰ電話アプリ終了要求）をＬＴＥ網セル２２１へ送出する（ステップＳ１２５４）。つぎに、ＬＴＥ網セル２２１が、ステップＳ１２５４によって送出されたＳＭＳメッセージ（６：ＩＰ電話アプリ終了要求）を第２端末２１２へ送信する（ステップＳ１２５５）。
【０１７１】
つぎに、第２端末２１２の無線通信処理部３２４ｂが、ステップＳ１２５５によって送信されたＳＭＳメッセージ（６：ＩＰ電話アプリ終了要求）をメッセージ送受信部３２１ｂへ出力する（ステップＳ１２５６）。つぎに、メッセージ送受信部３２１ｂが、ステップＳ１２５６により出力されたＳＭＳメッセージ（６：ＩＰ電話アプリ終了要求）をメッセージ送受信部３１４ｂへ出力する（ステップＳ１２５７）。
【０１７２】
つぎに、メッセージ送受信部３１４ｂが、ステップＳ１２５７により出力されたＳＭＳメッセージ（６：ＩＰ電話アプリ終了要求）を呼制御部３１２ｂへ出力する（ステップＳ１２５８）。つぎに、呼制御部３１２ｂが、ステップＳ１２５８によって出力されたＳＭＳメッセージ（６：ＩＰ電話アプリ終了要求）を音声通信切替制御部３１１ｂへ出力する（ステップＳ１２５９）。
【０１７３】
音声通信切替制御部３１１ｂが、ＩＰ電話アプリの終了を要求するＩＰ電話アプリ終了要求をＩＰ電話アプリ制御部３１３ｂへ出力する（ステップＳ１２６０）。つぎに、ＩＰ電話アプリ制御部３１３ｂが、ＩＰ電話アプリを終了する（ステップＳ１２６１）。つぎに、ＩＰ電話アプリ制御部３１３ｂが、ＩＰ電話アプリ用のＰＤＮの切断を要求するＩＰ電話アプリ用ＰＤＮ切断要求を呼制御部３１２ｂへ出力する（ステップＳ１２６２）。
【０１７４】
これにより、第２端末２１２でのＩＰ電話アプリ用ＰＤＮ切断シーケンスが行われ（ステップＳ１２６３）、第２端末２１２でのＩＰ電話アプリ用のＰＤＮが切断される。つぎに、呼制御部３１２ｂが、ＩＰ電話アプリ用のＰＤＮの切断完了を通知するＩＰ電話アプリ用ＰＤＮ切断完了通知をＩＰ電話アプリ制御部３１３ｂへ出力する（ステップＳ１２６４）。つぎに、ＩＰ電話アプリ制御部３１３ｂが、ＩＰ電話アプリの終了完了を通知するＩＰ電話アプリ終了完了通知を音声通信切替制御部３１１ｂへ出力する（ステップＳ１２６５）。
【０１７５】
つぎに、音声通信切替制御部３１１ｂが、ＩＰ電話アプリの終了ＯＫの応答を通知するＳＭＳメッセージを作成する（ステップＳ１２６６）。ステップＳ１２６６によって作成されるＳＭＳメッセージは、たとえば図５に示したＳＭＳメッセージ（７：ＩＰ電話アプリ終了ＯＫ応答）である。
【０１７６】
つぎに、音声通信切替制御部３１１ｂが、ステップＳ１２６６によって作成したＳＭＳメッセージ（７：ＩＰ電話アプリ終了ＯＫ応答）を呼制御部３１２ｂへ出力する（ステップＳ１２６７）。つぎに、呼制御部３１２ｂが、ステップＳ１２６７により出力されたＳＭＳメッセージ（７：ＩＰ電話アプリ終了ＯＫ応答）をメッセージ送受信部３１４ｂへ出力する（ステップＳ１２６８）。
【０１７７】
つぎに、メッセージ送受信部３１４ｂが、ステップＳ１２６８により出力されたＳＭＳメッセージ（７：ＩＰ電話アプリ終了ＯＫ応答）をメッセージ送受信部３２１ｂへ出力する（ステップＳ１２６９）。つぎに、メッセージ送受信部３２１ｂが、ステップＳ１２６９により出力されたＳＭＳメッセージ（７：ＩＰ電話アプリ終了ＯＫ応答）を無線通信処理部３２４ｂへ出力する（ステップＳ１２７０）。
【０１７８】
つぎに、無線通信処理部３２４ｂが、ステップＳ１２７０により出力されたＳＭＳメッセージ（７：ＩＰ電話アプリ終了ＯＫ応答）をＬＴＥ網セル２２１へ送出する（ステップＳ１２７１）。つぎに、ＬＴＥ網セル２２１が、ステップＳ１２７１によって送出されたＳＭＳメッセージ（７：ＩＰ電話アプリ終了ＯＫ応答）を第１端末２１１へ送信する（ステップＳ１２７２）。
【０１７９】
つぎに、第１端末２１１の無線通信処理部３２４ａが、ステップＳ１２７２によって送信されたＳＭＳメッセージ（７：ＩＰ電話アプリ終了ＯＫ応答）をメッセージ送受信部３２１ａへ出力する（ステップＳ１２７３）。
【０１８０】
つぎに、メッセージ送受信部３２１ａが、ステップＳ１２７３によって送信されたＳＭＳメッセージ（７：ＩＰ電話アプリ終了ＯＫ応答）をメッセージ送受信部３１４ａへ出力する（ステップＳ１２７４）。つぎに、メッセージ送受信部３１４ａが、ステップＳ１２７４によって送信されたＳＭＳメッセージ（７：ＩＰ電話アプリ終了ＯＫ応答）を呼制御部３１２ａへ出力する（ステップＳ１２７５）。
【０１８１】
つぎに、呼制御部３１２ａが、ステップＳ１２７５により出力されたＳＭＳメッセージ（７：ＩＰ電話アプリ終了ＯＫ応答）を音声通信切替制御部３１１ａへ出力する（ステップＳ１２７６）。つぎに、音声通信切替制御部３１１ａが、ＩＰ電話アプリの終了を要求するＩＰ電話アプリ終了要求をＩＰ電話アプリ制御部３１３ａへ出力する（ステップＳ１２７７）。
【０１８２】
図１２Ｄに示すように、つぎに、ＩＰ電話アプリ制御部３１３ａが、ＩＰ電話アプリを終了する（ステップＳ１２７８）。つぎに、ＩＰ電話アプリ制御部３１３ａが、ＩＰ電話アプリ用のＰＤＮの切断を要求するＩＰ電話アプリ用ＰＤＮ切断要求を呼制御部３１２ａへ出力する（ステップＳ１２７９）。
【０１８３】
これにより、第１端末２１１でのＩＰ電話アプリ用ＰＤＮ切断シーケンスが行われ（ステップＳ１２８０）、第１端末２１１でのＩＰ電話アプリ用のＰＤＮが切断される。つぎに、呼制御部３１２ａが、ＩＰ電話アプリ用のＰＤＮの切断完了を通知するＩＰ電話アプリ用ＰＤＮ切断完了通知をＩＰ電話アプリ制御部３１３ａへ出力する（ステップＳ１２８１）。つぎに、ＩＰ電話アプリ制御部３１３ａが、ＩＰ電話アプリの終了完了を通知するＩＰ電話アプリ終了完了通知を音声通信切替制御部３１１ａへ出力する（ステップＳ１２８２）。これにより、第１端末２１１と第２端末２１２との間において、ＬＴＥ網でＶｏＬＴＥ通話中の状態となる（ステップＳ１２８３）。
【０１８４】
（実施の形態２にかかる通信システムの動作例３）
図１３Ａ〜図１３Ｃは、実施の形態２にかかる通信システムの動作例３を示す図である。図１３Ａ〜図１３Ｃにおいて、図２Ａ〜図２Ｄに示した部分と同様の部分については同一の符号を付して説明を省略する。
【０１８５】
動作例３においては、ＶｏＬＴＥからＩＰ電話アプリへの切替処理が途中でＮＧ（失敗）となった場合に、切替処理前の状態へ戻し、ＳＲＶＣＣにて３Ｇ網へ遷移し、ＣＳ呼での音声通話を継続する場合について説明する。
【０１８６】
＜第１端末にてＩＰ電話アプリへの音声通話切替ＮＧ発生＞
たとえば図２Ｃに示した状態において、図１３Ａに示すように、第１端末２１１にてＶｏＬＴＥからＩＰ電話アプリへの音声通話切替がＮＧとなった場合に、第１端末２１１は、第２端末２１２とのＩＰ電話アプリ接続の切断処理を開始する。
【０１８７】
＜第２端末とＩＰ電話アプリでの接続実施＞
すなわち、図１３Ｂに示すように、第１端末２１１は、第１端末２１１と第２端末２１２とのＩＰ電話アプリの接続を切断するために、第２端末２１２へＩＰ電話アプリ制御同期用のＳＭＳメッセージ（４：ＶｏＬＴＥでの音声通話へ切替要求）を送信する。
【０１８８】
第２端末２１２は、第１端末２１１からのＳＭＳメッセージ（４：ＶｏＬＴＥでの音声通話へ切替要求）を受信すると、音声通話をＩＰ電話アプリからＶｏＬＴＥへ切り替える。そして、第２端末２１２は、第１端末２１１へＳＭＳメッセージ（５：ＶｏＬＴＥでの音声通話へ切替ＯＫ応答）を送信する。
【０１８９】
第１端末２１１は、第２端末２１２からのＳＭＳメッセージ（５：ＶｏＬＴＥでの音声通話へ切替ＯＫ応答）を受信すると、第２端末２１２へＳＭＳメッセージ（６：ＩＰ電話アプリ終了要求）を送信する。
【０１９０】
第２端末２１２は、第１端末２１１からのＳＭＳメッセージ（６：ＩＰ電話アプリ終了要求）を受信すると、ＩＰ電話アプリを終了させ、ＩＰ電話アプリ用のＰＤＮを切断する。そして、第２端末２１２は、第１端末２１１へＳＭＳメッセージ（７：ＩＰ電話アプリ終了ＯＫ応答）を送信する。
【０１９１】
第１端末２１１は、第２端末２１２からのＳＭＳメッセージ（７：ＩＰ電話アプリ終了ＯＫ応答）を受信すると、ＩＰ電話アプリを終了させ、ＩＰ電話アプリ用のＰＤＮを切断する。これにより、第１端末２１１と第２端末２１２はＶｏＬＴＥでの音声通話のみの接続となる。
【０１９２】
＜３Ｇ網へのＳＲＶＣＣ実施＞
つぎに、図１３Ｃに示すように、第１端末２１１は、３Ｇ網セル２２２へのＳＲＶＣＣを実施し、ＣＳ呼にて音声通話を継続する。
【０１９３】
（動作例３にかかる通信システムの動作）
図１４Ａ〜図１４Ｄは、動作例３にかかる通信システムの動作の一例を示すシーケンス図である。図１４Ａ〜図１４Ｄにおいて、図８Ａ〜図８Ｄに示した部分と同様の部分については同一の符号を付して説明を省略する。通信システム２００は、動作例３において、たとえば図１４Ａ〜図１４Ｄに示す各ステップのように動作する。
【０１９４】
図１４Ａに示すように、まず、第１端末２１１がＬＴＥ網セル２２１に接続しており、第１端末２１１と第２端末２１２との間において、ＬＴＥ網でＶｏＬＴＥ通話中であるとする（ステップＳ１４０１）。そして、たとえば図８ＤのステップＳ８８１のように、通話音声制御部３２２ａが、第２端末２１２との音声通話のＶｏＬＴＥからＩＰ電話アプリへの切替を行うとする（ステップＳ１４０２）。そして、ステップＳ１４０２において、ＩＰ電話アプリへの切替においてＮＧ（失敗）が発生したとする。
【０１９５】
つぎに、通話音声制御部３２２ａが、ＩＰ電話アプリでの音声通話へ切替においてＮＧが発生したことを示すＩＰ電話アプリでの音声通話へ切替ＮＧ応答をメッセージ送受信部３２１ａへ出力する（ステップＳ１４０３）。つぎに、メッセージ送受信部３２１ａが、ステップＳ１４０３によって出力されたＩＰ電話アプリでの音声通話へ切替ＮＧ応答をメッセージ送受信部３１４ａへ出力する（ステップＳ１４０４）。
【０１９６】
つぎに、メッセージ送受信部３１４ａが、ステップＳ１４０４によって出力されたＩＰ電話アプリでの音声通話へ切替ＮＧ応答を呼制御部３１２ａへ出力する（ステップＳ１４０５）。つぎに、呼制御部３１２ａが、ステップＳ１４０５によって出力されたＩＰ電話アプリでの音声通話へ切替ＮＧ応答を音声通信切替制御部３１１ａへ出力する（ステップＳ１４０６）。
【０１９７】
図１４Ａ，図１４Ｂに示すステップＳ１４０７〜Ｓ１４３７は、図１２Ａ，図１２Ｂに示したステップＳ１２０９〜Ｓ１２３９と同様である。図１４Ｂ〜図１４Ｄに示すステップＳ１４３８〜Ｓ１４７２は、図１２Ｂ〜図１２Ｄに示したステップＳ１２４９〜Ｓ１２８３と同様である。
【０１９８】
ステップＳ１４７２のつぎに、第１端末２１１でのＳＲＶＣＣシーケンスが行われる（ステップＳ１４７３）。これにより、第１端末２１１と第２端末２１２との間において、３Ｇ網のＣＳ呼で通話中の状態となる（ステップＳ１４７４）。
【０１９９】
（携帯電話における設定項目）
図１５は、携帯電話における設定項目の一例を示す図である。図１５に示す設定項目１５００は、携帯電話３００における設定項目である。設定項目１５００は、「設定項目」として、たとえば「相手側端末情報」および「ＩＰ電話アプリへの自動切替可・不可」を含む。設定項目１５００は、たとえばユーザによる画面操作にて設定される。
【０２００】
「相手側端末情報」は、相手側の携帯電話番号に対応付けて、切替先ＩＰ電話アプリ名やＩＰ電話アプリＩＤが設定される項目である。「ＩＰ電話アプリへの自動切替可・不可」は、相手側の携帯電話番号に対応付けて、可または不可が設定される項目である。
【０２０１】
（携帯電話におけるデータベースへの情報登録）
図１６は、携帯電話におけるデータベースへの情報登録の一例を示すシーケンス図である。まず、携帯電話３００は、ユーザからの相手側端末情報が入力されると、音声通信切替制御部３１１ａが、入力された相手側端末情報をＩＰ電話アプリ制御部３１３ａへ出力する（ステップＳ１６０１）。つぎに、ＩＰ電話アプリ制御部３１３ａが、ステップＳ１６０１によって出力された相手側端末情報のデータベース３１５への登録を行う（ステップＳ１６０２）。
【０２０２】
図１７は、携帯電話のハードウェア構成の一例を示す図である。図３に示した携帯電話３００は、たとえば図１７に示す携帯電話１７００によって実現することができる。携帯電話１７００は、キー入力部１７１１と、表示部１７１２と、プロセッサ１７１３と、記憶部１７１４と、無線部１７１５と、マイク１７１６と、スピーカ１７１７と、オーディオ入出力部１７１８と、アンテナ１７１９と、を備える。
【０２０３】
キー入力部１７１１は、キーボードなどの、ユーザからのキー入力を受け付ける入力部である。表示部１７１２は、ユーザに対して画面表示を行うディスプレイである。また、キー入力部１７１１および表示部１７１２をタッチパネルなどによって実現してもよい。
【０２０４】
プロセッサ１７１３は、携帯電話１７００の全体の制御を司る。記憶部１７１４には、たとえばメインメモリおよび補助メモリが含まれる。メインメモリは、たとえばＲＡＭ（Ｒａｎｄｏｍ  Ａｃｃｅｓｓ  Ｍｅｍｏｒｙ）である。メインメモリは、プロセッサ１７１３のワークエリアとして使用される。補助メモリは、たとえば磁気ディスク、光ディスク、フラッシュメモリなどの不揮発メモリである。補助メモリには、携帯電話１７００を動作させる各種のプログラムが記憶されている。補助メモリに記憶されたプログラムは、メインメモリにロードされてプロセッサ１７１３によって実行される。
【０２０５】
無線部１７１５は、プロセッサ１７１３からの制御により、アンテナ１７１９を介して無線信号の送受信を行う回路である。マイク１７１６は、ユーザからの音声入力を受け付ける。スピーカ１７１７は、ユーザに対して音声出力を行う。オーディオ入出力部１７１８は、プロセッサ１７１３からの制御により、マイク１７１６およびスピーカ１７１７を用いてオーディオ入出力処理を行う。
【０２０６】
図３に示したアプリケーション制御部３１０は、たとえばプロセッサ１７１３によって実現することができる。図３に示したシステム制御部３２０は、たとえばプロセッサ１７１３および無線部１７１５によって実現することができる。図３に示したアンテナ３３１は、たとえばアンテナ１７１９によって実現することができる。図３に示したスピーカ３３２は、たとえばスピーカ１７１７によって実現することができる。図３に示したマイク３３３は、たとえばマイク１７１６によって実現することができる。
【０２０７】
以上説明したように、音声通信装置および音声通信システムによれば、パケット交換呼による音声通信の継続を可能にすることができる。
【０２０８】
たとえば、ＶｏＬＴＥでの音声通話中に、電波品質低下などによりＩＭＳサービスをサポートしていない網（３Ｇ網や第２Ｇ網など）へ遷移する場合について説明する。この場合は、ＳＲＶＣＣにてＰＳ（パケット交換）呼であるＶｏＬＴＥでの音声通話をＣＳ（回線交換）呼での音声通話に切り替えられて音声通話が継続される。
【０２０９】
ＣＳ呼での音声通話は、契約内容と発信先キャリアに依存した従量課金の場合が多く、逆にＰＳ呼では定額課金が主流である。このため、ＬＴＥ網でＶｏＬＴＥにて定額の音声通話中にＩＭＳサービスをサポートしていない網への遷移によりＣＳ呼に切り替わった場合に、従量課金となりユーザに負担を与えることになる。
【０２１０】
ＰＳ呼での音声通話を維持するためには、既存網でのＩＭＳサービスのサポート範囲の拡大を要するが、キャリア側での設備投資の負担が大きいため困難である。さらに、３Ｇにて使用するＰＳ呼の帯域幅によっては音声通話のＱｏＳを保証することが困難である。
【０２１１】
一方、ＩＭＳサービスをサポートしていない既存網においてＣＳ呼を確立するための回線交換設備を、ＶｏＬＴＥが可能となるＬＴＥ網のカバー率が普及するまで維持することになり、キャリア側にて設備の維持やメンテナンスのコスト負担が生じる。
【０２１２】
このように、たとえばＶｏＬＴＥでの音声通話中に在圏網を遷移する際に、遷移先の網にてＩＭＳサービスがサポートされていない場合は、ＩＭＳサービスの接続を確立することができず、ＩＭＳサービスでのＰＳ呼の音声通話を継続することができない。このため、ＳＲＶＣＣによってＣＳ呼に遷移することは避けられない。しかし、既存網でのＩＭＳサービスサポートについては、上述したとおりコスト面での負担があるため現実的かつ速効性のある解法とはならない。
【０２１３】
これに対して、ＩＭＳサービスがサポートされていない網に遷移する際に、定額課金のＰＳ呼にて音声通話ができるＩＭＳサービスを必要としない一般のＩＰ電話アプリに切り替えることも考えられる。しかし、携帯電話は無線ネットワークからの指示を契機に在圏網を遷移するため、一旦ＳＲＶＣＣによってＣＳ呼に遷移してしまい、ＣＳ呼での課金が発生する。さらに、網の遷移をユーザが画面の目視にて確認し、手動にてＩＰ電話アプリへの切替を実施することになる。このとき、ＣＳ呼とＰＳ呼のマルチ接続を許容していない網へ遷移した場合は、ＣＳ呼を切断した後にＩＰ電話アプリでのＰＳ呼を確立することになり、音声通話が一旦切断されるため、ユーザの利便性は低下する。
【０２１４】
これに対して、上述した各実施の形態によれば、ＩＭＳサービスがサポートされていない網に遷移する前に相手側端末とタイミングを合わせてＶｏＬＴＥからＩＰ電話アプリでの音声通話に切り替えることができる。すなわち、電波品質の監視結果からハンドオーバ発生の予測を行い、ハンドオーバ要求前に相手側端末とＩＰ電話アプリ起動およびＩＰ電話アプリでの音声通話への切替タイミングを同期させ、ＰＳ呼での音声通話を継続することができる。相手側端末との同期には、ＩＰ電話アプリ制御同期用のＳＭＳメッセージを用いることができる。
【０２１５】
これにより、たとえばＬＴＥ網からＩＭＳサービスがサポートされていない網へ遷移する際に、ＶｏＬＴＥ通話をＣＳ呼ではなく、ＰＳ呼での音声通話に切り替えることができる。したがって、ＣＳ呼での従量課金ではなく、ＰＳ呼での定額通信により途中切断することなく音声呼を継続することができ、ユーザの通話コストに対する懸念を解消することができる。また、携帯電話キャリアとしても、ＩＭＳサービスのサポートエリアを拡大しなくても、また３Ｇ網での回線交換設備を維持／メンテナンスしなくても、音声通話サービスを維持することができる。
【０２１６】
上述した各実施の形態に関し、さらに以下の付記を開示する。
【０２１７】
（付記１）第１移動体通信網において使用可能であり第２移動体通信網において使用不可なパケット交換呼による第１音声通信と、前記第１移動体通信網および前記第２移動体通信網において使用可能なパケット交換呼による第２音声通信と、が可能な通信部と、
自装置が前記第１移動体通信網に接続し、前記通信部が他の音声通信装置との間で前記第１音声通信を行っている際に、自装置の前記第２移動体通信網へのハンドオーバの予兆を検出する検出部と、
前記検出部によって前記ハンドオーバの予兆が検出された場合に、前記通信部による前記他の音声通信装置との間の音声通信を前記第２音声通信に切り替える制御部と、
を備えることを特徴とする音声通信装置。
【０２１８】
（付記２）前記第１移動体通信網はＩＭＳ（ＩＰ  Ｍｕｌｔｉｍｅｄｉａ  Ｓｕｂｓｙｓｔｅｍ）サービスをサポートする通信網であり、
前記第２移動体通信網はＩＭＳサービスをサポートしていない通信網である、
ことを特徴とする付記１に記載の音声通信装置。
【０２１９】
（付記３）前記第１音声通信は帯域確保型の音声通信であり、
前記第２音声通信はベストエフォート型の音声通信である、
ことを特徴とする付記１または２に記載の音声通信装置。
【０２２０】
（付記４）前記第１音声通信はＶｏＬＴＥ（Ｖｏｉｃｅ  ｏｖｅｒ  Ｌｏｎｇ  Ｔｅｒｍ  Ｅｖｏｌｕｔｉｏｎ）による音声通信であることを特徴とする付記１〜３のいずれか一つに記載の音声通信装置。
【０２２１】
（付記５）前記第２音声通信はピアツーピアのインターネット電話による音声通信であることを特徴とする付記１〜４のいずれか一つに記載の音声通信装置。
【０２２２】
（付記６）前記検出部は、前記第１移動体通信網および前記第２移動体通信網における自装置の各無線通信品質に基づいて前記ハンドオーバの予兆を検出することを特徴とする付記１〜５のいずれか一つに記載の音声通信装置。
【０２２３】
（付記７）前記制御部は、前記音声通信を前記第２音声通信に切り替えた後に、自装置の前記第２移動体通信網から前記第１移動体通信網へのハンドオーバが発生すると、前記音声通信を前記第１音声通信に切り替えることを特徴とする付記１〜６のいずれか一つに記載の音声通信装置。
【０２２４】
（付記８）前記通信部は、前記第２移動体通信網において使用可能な回線交換呼による第３音声通信が可能であり、
前記制御部は、前記検出部によって前記ハンドオーバの予兆が検出され、前記他の音声通信装置との間で前記第２音声通信が使用できない場合に、前記通信部による前記他の音声通信装置との間の音声通信を前記第３音声通信に切り替えることを特徴とする付記１〜７のいずれか一つに記載の音声通信装置。
【０２２５】
（付記９）前記制御部は、前記ハンドオーバの前に前記音声通信を前記第２音声通信に切り替えることを特徴とする付記１〜８のいずれか一つに記載の音声通信装置。
【０２２６】
（付記１０）第１移動体通信網において使用可能であり第２移動体通信網において使用不可なパケット交換呼による第１音声通信と、前記第１移動体通信網および前記第２移動体通信網において使用可能なパケット交換呼による第２音声通信と、が可能な他の音声通信装置との間で音声通信を行う通信部と、
前記他の音声通信装置が前記第１移動体通信網に接続し、前記他の音声通信装置との間で前記第１音声通信を行っている際に、前記他の音声通信装置の前記第２移動体通信網へのハンドオーバの予兆が検出された場合に、前記他の音声通信装置との間の音声通信を前記第２音声通信に切り替える制御部と、
を備えることを特徴とする音声通信装置。
【０２２７】
（付記１１）第１移動体通信網において使用可能であり第２移動体通信網において使用不可なパケット交換呼による第１音声通信と、前記第１移動体通信網および前記第２移動体通信網において使用可能なパケット交換呼による第２音声通信と、が可能な第１音声通信装置と、
前記第１音声通信装置との間で音声通信が可能な第２音声通信装置と、
を含み、
前記第１音声通信装置は、前記第１音声通信装置が前記第１移動体通信網に接続し、前記第２音声通信装置との間で前記第１音声通信を行っている際に、前記第１音声通信装置の前記第２移動体通信網へのハンドオーバの予兆を検出すると、前記第２音声通信装置との間の音声通信を前記第２音声通信に切り替えることを特徴とする音声通信システム。
【符号の説明】
【０２２８】
１００，２００  通信システム
１０１  第１移動体通信網
１０２  第２移動体通信網
１１０  第１音声通信装置
１１１  通信部
１１２  検出部
１１３  制御部
１２０  第２音声通信装置
２１１  第１端末
２１２  第２端末
２２１  ＬＴＥ網セル
２２２  ３Ｇ網セル
２３０  無線ネットワーク
３００  携帯電話
３１０，３１０ａ，３１０ｂ  アプリケーション制御部
３１１，３１１ａ，３１１ｂ  音声通信切替制御部
３１２，３１２ａ，３１２ｂ  呼制御部
３１３，３１３ａ，３１３ｂ  ＩＰ電話アプリ制御部
３１４，３１４ａ，３１４ｂ，３２１，３２１ａ，３２１ｂ  メッセージ送受信部
３１５  データベース
３２０  システム制御部
３２２，３２２ａ，３２２ｂ  通話音声制御部
３２３，３２３ａ，３２３ｂ  ハンドオーバ予測部
３２４，３２４ａ，３２４ｂ  無線通信処理部
３３１  アンテナ
３３２  スピーカ
３３３  マイク
４００  対応情報
５００  フォーマット
８００  ＩＭＳサーバ
１５００  設定項目
【図１Ａ】
2015080139.tif 000003
【図１Ｂ】
2015080139.tif 000004
【図２Ａ】
2015080139.tif 000005
【図２Ｂ】
2015080139.tif 000006
【図２Ｃ】
2015080139.tif 000007
【図２Ｄ】
2015080139.tif 000008
【図３】
2015080139.tif 000009
【図４】
2015080139.tif 000010
【図５】
2015080139.tif 000011
【図６】
2015080139.tif 000012
【図７】
2015080139.tif 000013
【図８Ａ】
2015080139.tif 000014
【図８Ｂ】
2015080139.tif 000015
【図８Ｃ】
2015080139.tif 000016
【図８Ｄ】
2015080139.tif 000017
【図８Ｅ】
2015080139.tif 000018
【図９Ａ】
2015080139.tif 000019
【図９Ｂ】
2015080139.tif 000020
【図９Ｃ】
2015080139.tif 000021
【図９Ｄ】
2015080139.tif 000022
【図１０】
2015080139.tif 000023
【図１１】
2015080139.tif 000024
【図１２Ａ】
2015080139.tif 000025
【図１２Ｂ】
2015080139.tif 000026
【図１２Ｃ】
2015080139.tif 000027
【図１２Ｄ】
2015080139.tif 000028
【図１３Ａ】
2015080139.tif 000029
【図１３Ｂ】
2015080139.tif 000030
【図１３Ｃ】
2015080139.tif 000031
【図１４Ａ】
2015080139.tif 000032
【図１４Ｂ】
2015080139.tif 000033
【図１４Ｃ】
2015080139.tif 000034
【図１４Ｄ】
2015080139.tif 000035
【図１５】
2015080139.tif 000036
【図１６】
2015080139.tif 000037
【図１７】
2015080139.tif 000038